(57)【特許請求の範囲】
【請求項１】
ライセンス供与サーバによって実行される、コンテンツライセンスを管理する方法であって、
オリジナル装置上に存在する或いは前記オリジナル装置によってアクセス可能であるデジタルコンテンツを発見するために、前記オリジナル装置が前記オリジナル装置のスキャンを自動的に実行するクライアントアプリケーションを提供することと、
前記オリジナル装置から、前記クライアントアプリケーションによってスキャンされ、前記オリジナル装置上に存在する或いは前記オリジナル装置によってアクセス可能である前記デジタルコンテンツをデスティネーション装置上で使用するためのライセンスに関する要求を受信することと、ここにおいて、前記ライセンスは前記オリジナル装置によって要求されたものであり、
前記オリジナル装置から、前記クライアントアプリケーションによってスキャンされ、前記オリジナル装置上に存在する或いは前記オリジナル装置によってアクセス可能である前記デジタルコンテンツから選択された、前記ライセンスが要求されたデジタルコンテンツのリストを受信することと、
前記リストに一致する登録済みのコンテンツを見つけるために、コンテンツ権利データベースを探索することと、
前記リストに一致する登録済みのコンテンツが前記コンテンツ権利データベース内で見つかった場合、前記登録済みのコンテンツの使用を許可するライセンスを生成することと、
を具備する方法。
【請求項２】
前記リストに一致する登録済みのコンテンツが前記コンテンツ権利データベース内で見つかったという通知を、前記オリジナル装置に送信することをさらに具備する請求項１の方法。
【請求項３】
前記オリジナル装置から、要求されたタイプのライセンスの要求を受信することをさらに具備する請求項２の方法。
【請求項４】
前記デスティネーション装置にライセンス供与クライアントをダウンロードすることをさらに具備する請求項３の方法。
【請求項５】
前記デスティネーション装置に、前記リストに一致する登録済みのコンテンツをダウンロードすることをさらに具備する請求項４の方法。
【請求項６】
前記デスティネーション装置に前記生成されたライセンスを送信することと、
前記オリジナル装置に前記生成されたライセンスのコピーを送信することと、をさらに具備する請求項５の方法。
【請求項７】
前記ライセンスが要求されたデジタルコンテンツに関連するメタデータのリストを受信することをさらに具備し、前記コンテンツ権利データベースを探索することは前記メタデータに基づいている、請求項１の方法。
【請求項８】
権利者からデジタルコンテンツを受信することと、
前記権利者から前記デジタルコンテンツに関連する権利を受信することと、
前記デジタル権利データベースに、前記デジタルコンテンツ及び関連する権利を格納することと、をさらに具備する請求項１の方法。
【請求項９】
オリジナル装置上に存在する或いは前記オリジナル装置によってアクセス可能であるデジタルコンテンツを発見するために、前記オリジナル装置が前記オリジナル装置のスキャンを自動的に実行するクライアントアプリケーションを提供する手段と、
前記オリジナル装置から、前記クライアントアプリケーションによってスキャンされ、前記オリジナル装置上に存在する或いは前記オリジナル装置によってアクセス可能である前記デジタルコンテンツをデスティネーション装置上で使用するためのライセンスに関する要求を受信する手段と、ここにおいて、前記ライセンスは前記オリジナル装置によって要求されたものであり、
前記オリジナル装置から、前記クライアントアプリケーションによってスキャンされ、前記オリジナル装置上に存在する或いは前記オリジナル装置によってアクセス可能である前記デジタルコンテンツから選択された、前記ライセンスが要求されたデジタルコンテンツのリストを受信する手段と、
前記リストに一致する登録済みのコンテンツを見つけるために、コンテンツ権利データベースを探索する手段と、
前記リストに一致する登録済みのコンテンツが前記コンテンツ権利データベース内で見つかった場合、前記登録済みのコンテンツの使用を許可するライセンスを生成する手段と、
を具備するライセンス供与サーバ。
【請求項１０】
前記リストに一致する登録済みのコンテンツが前記コンテンツ権利データベース内で見つかったという通知を、前記オリジナル装置に送信する手段をさらに具備する請求項９のライセンス供与サーバ。
【請求項１１】
前記オリジナル装置から、要求されたタイプのライセンスの要求を受信する手段をさらに具備する請求項１０のライセンス供与サーバ。
【請求項１２】
前記デスティネーション装置にライセンス供与クライアントをダウンロードする手段をさらに具備する請求項１１のライセンス供与サーバ。
【請求項１３】
前記デスティネーション装置に、前記リストに一致する登録済みのコンテンツをダウンロードする手段をさらに具備する請求項１２のライセンス供与サーバ。
【請求項１４】
前記デスティネーション装置に前記生成されたライセンスを送信する手段と、
前記オリジナル装置に前記生成されたライセンスのコピーを送信する手段と、をさらに具備する請求項１３のライセンス供与サーバ。
【請求項１５】
前記ライセンスが要求されたデジタルコンテンツに関連するメタデータのリストを受信する手段と、
前記メタデータを使用して、前記コンテンツ権利データベースを探索する手段と、をさらに具備する請求項９のライセンス供与サーバ。
【請求項１６】
権利者からデジタルコンテンツを受信する手段と、
前記権利者から前記デジタルコンテンツに関連する権利を受信する手段と、
前記デジタル権利データベースに、前記デジタルコンテンツ及び関連する権利を格納する手段と、をさらに具備する請求項９のライセンス供与サーバ。
【請求項１７】
プロセッサと、
前記プロセッサにとってアクセス可能なメモリであって、オリジナル装置上に存在する或いは前記オリジナル装置によってアクセス可能であるデジタルコンテンツを発見するために、前記オリジナル装置が前記オリジナル装置のスキャンを自動的に実行するクライアントアプリケーションを提供する少なくとも１つの命令と、前記オリジナル装置から、前記クライアントアプリケーションによってスキャンされ、前記オリジナル装置上に存在する或いは前記オリジナル装置によってアクセス可能である前記デジタルコンテンツをデスティネーション装置上で使用するためのライセンスに関する要求を受信する少なくとも１つの命令と、ここにおいて、前記ライセンスは前記オリジナル装置によって要求されたものであり、前記オリジナル装置から、前記クライアントアプリケーションによってスキャンされ、前記オリジナル装置上に存在する或いは前記オリジナル装置によってアクセス可能である前記デジタルコンテンツから選択された、前記ライセンスが要求されたデジタルコンテンツのリストを受信する少なくとも１つの命令と、前記リストに一致する登録済みのコンテンツを見つけるために、コンテンツ権利データベースを探索する少なくとも１つの命令と、前記リストに一致する登録済みのコンテンツが前記コンテンツ権利データベース内で見つかった場合、前記登録済みのコンテンツの使用を許可するライセンスを生成する少なくとも１つの命令と、を備えるメモリと、
を具備するライセンス供与サーバ。
【請求項１８】
前記メモリは、前記リストに一致する登録済みのコンテンツが前記コンテンツ権利データベース内で見つかったという通知を、前記オリジナル装置に送信する少なくとも１つの命令をさらに備える請求項１７のライセンス供与サーバ。
【請求項１９】
前記メモリは、前記オリジナル装置から、要求されたタイプのライセンスの要求を受信する少なくとも１つの命令をさらに備える請求項１８のライセンス供与サーバ。
【請求項２０】
前記メモリは、前記デスティネーション装置にライセンス供与クライアントをダウンロードする少なくとも１つの命令をさらに備える請求項１９のライセンス供与サーバ。
【請求項２１】
前記メモリは、前記デスティネーション装置に、前記リストに一致する登録済みのコンテンツをダウンロードする少なくとも１つの命令をさらに備える請求項２０のライセンス供与サーバ。
【請求項２２】
前記メモリは、前記デスティネーション装置に前記生成されたライセンスを送信する少なくとも１つの命令と、
前記オリジナル装置に前記生成されたライセンスのコピーを送信する少なくとも１つの命令と、をさらに備える請求項２１のライセンス供与サーバ。
【請求項２３】
前記メモリは、前記ライセンスが要求されたデジタルコンテンツに関連するメタデータのリストを受信する少なくとも１つの命令と、
前記メタデータを使用して、前記コンテンツ権利データベースを探索する少なくとも１つの命令と、をさらに備える請求項１７のライセンス供与サーバ。
【請求項２４】
前記メモリは、権利者からデジタルコンテンツを受信する少なくとも１つの命令と、
前記権利者から前記デジタルコンテンツに関連する権利を受信する少なくとも１つの命令と、
前記デジタル権利データベースに、前記デジタルコンテンツ及び関連する権利を格納する少なくとも１つの命令と、をさらに備える請求項１７のライセンス供与サーバ。
【請求項２５】
ライセンス供与サーバのコンピュータによって実行されるプログラムであって、
前記コンピュータに、オリジナル装置上に存在する或いは前記オリジナル装置によってアクセス可能であるデジタルコンテンツを発見するために前記オリジナル装置が前記オリジナル装置のスキャンを自動的に実行するクライアントアプリケーションを提供させる少なくとも１つの命令と、
前記コンピュータに、前記オリジナル装置から、前記クライアントアプリケーションによってスキャンされ、前記オリジナル装置上に存在する或いは前記オリジナル装置によってアクセス可能である前記デジタルコンテンツをデスティネーション装置上で使用するためのライセンスに関する要求を受信させる少なくとも１つの命令と、ここにおいて、前記ライセンスは前記オリジナル装置によって要求されたものであり、
前記コンピュータに、前記オリジナル装置から、前記クライアントアプリケーションによってスキャンされ、前記オリジナル装置上に存在する或いは前記オリジナル装置によってアクセス可能である前記デジタルコンテンツから選択された、前記ライセンスが要求されたデジタルコンテンツのリストを受信させる少なくとも１つの命令と、
前記コンピュータに、前記リストに一致する登録済みのコンテンツを見つけるために、コンテンツ権利データベースを探索させる少なくとも１つの命令と、
前記コンピュータに、前記リストに一致する登録済みのコンテンツが前記コンテンツ権利データベース内で見つかった場合、前記登録済みのコンテンツの使用を許可するライセンスを生成させる少なくとも１つの命令と、
を備えるプログラム。
【請求項２６】
前記コンピュータに、前記リストに一致する登録済みのコンテンツが前記コンテンツ権利データベース内で見つかったという通知を、前記オリジナル装置に送信させる少なくとも１つの命令をさらに備える請求項２５のプログラム。
【請求項２７】
前記コンピュータに、前記オリジナル装置から、要求されたタイプのライセンスの要求を受信させる少なくとも１つの命令をさらに備える請求項２６のプログラム。
【請求項２８】
前記コンピュータに、前記デスティネーション装置にライセンス供与クライアントをダウンロードさせる少なくとも１つの命令をさらに備える請求項２７のプログラム。
【請求項２９】
前記コンピュータに、前記デスティネーション装置に、前記リストに一致する登録済みのコンテンツをダウンロードさせる少なくとも１つの命令をさらに備える請求項２８のプログラム。
【請求項３０】
前記コンピュータに、前記デスティネーション装置に前記生成されたライセンスを送信させる少なくとも１つの命令と、
前記コンピュータに、前記オリジナル装置に前記生成されたライセンスのコピーを送信させる少なくとも１つの命令と、をさらに備える請求項２９のプログラム。
【請求項３１】
前記コンピュータ、前記ライセンスが要求されたデジタルコンテンツに関連するメタデータのリストを受信させる少なくとも１つの命令と、
前記コンピュータに、前記メタデータを使用して、前記コンテンツ権利データベースを探索させる少なくとも１つの命令と、をさらに備える請求項２５のプログラム。
【請求項３２】
前記コンピュータに、権利者からデジタルコンテンツを受信させる少なくとも１つの命令と、
前記コンピュータに、前記権利者から前記デジタルコンテンツに関連する権利を受信させる少なくとも１つの命令と、
前記コンピュータに、前記デジタル権利データベースに、前記デジタルコンテンツ及び関連する権利を格納させる少なくとも１つの命令と、をさらに備える請求項２５のプログラム。
【発明の詳細な説明】
【優先権の主張】
【０００１】
［合衆国法典第３５編第１１９条に基づく優先権の主張］
本出願は、２００７年６月１９日に出願され、コンテンツライセンス供与のための方法、システム及び装置（METHODS, SYSTEMS, AND APPARATUS FOR CONTENT LICENSING）と題された仮出願６０／９４５，０９５号の優先権を主張し、この仮出願は、本発明の譲受人に譲渡され、参照として本明細書に明示的に組み入れられる。
【背景技術】
【０００２】
携帯用電子機器は、至る所に存在している。これらの装置の多くは、例えばインターネット又は無線インタフェースを介して、ユーザがそのような装置に音楽をダウンロードすることを可能にする能力を持っている。一旦ダウンロードすると、ユーザは、その装置を使用して、音楽にアクセスして再生することができる。ユーザは、携帯型電子装置での音楽のダウンロード及び使用を許可するライセンスを購入しなければならないだろう。残念ながら、ユーザが他の装置で音楽にアクセスすることを可能にする他のライセンスが購入されない場合、同じ音楽は、異なる携帯型電子装置においてユーザによるアクセスが可能ではないかもしれない。
【０００３】
前述に基づいて、ユーザが割引価格で、ユーザによって既にアクセス可能となっている選択されたコンテンツに異なる装置上で合法的にアクセスすることを可能にすることは、有利だろう。
【発明の概要】
【０００４】
以下は、１以上の様態の基本的な理解を与えるために、１以上の態様についての簡略化した要約を提示する。この要約は、検討された全ての態様の広範囲な外観というわけではなく、全ての態様の重要な、或いは、重大な要素を特定するように意図されるものでもなく、いくらかの態様又は全ての態様の範囲を線引きするように意図されるものでもない。その唯一の目的は、後に示されるより詳細な説明に対する前置きとして、単純化した形式で１以上の態様についてのいくつかの概念を提示することにある。
【０００５】
コンテンツを使用するための１以上のライセンスを取得する方法が提供される。この方法は、オリジナル装置上に存在するデジタルコンテンツを見つけるために、このオリジナル装置をスキャンすることと、オリジナル装置上で、デスティネーション装置で、或いはこれらの組み合わせ上でデジタルコンテンツを使用するためのライセンスをライセンス供与サーバに要求することと、を含むことができる。
【０００６】
他の態様では、コンテンツにアクセスするための装置が提供される。この装置は、オリジナル装置上に存在するデジタルコンテンツを見つけるために、このオリジナル装置をスキャンする手段と、オリジナル装置上で、デスティネーション装置で、或いはこれらの組み合わせ上でデジタルコンテンツを使用するためのライセンスをライセンス供与サーバに要求する手段と、を含むことができる。
【０００７】
他の態様では、コンテンツにアクセスするための装置が提供される。この装置は、プロセッサと、このプロセッサにとってアクセス可能なメモリを含むことができる。このメモリは、オリジナル装置上に存在するデジタルコンテンツを見つけるために、このオリジナル装置をスキャンする少なくとも１つの命令と、オリジナル装置上で、デスティネーション装置上で、又はこれらの組み合わせ上でデジタルコンテンツを使用するためのライセンスをライセンス供与サーバに要求する少なくとも１つの命令と、を含む。
【０００８】
さらに他の態様では、コンピュータプログラムプロダクトが提供され、このコンピュータプログラムプロダクトは、コンピュータ読み取り可能媒体を含むことができる。このコンピュータ読み取り可能媒体は、コンピュータに、オリジナル装置上に存在するデジタルコンテンツを見つけるために、このオリジナル装置をスキャンさせる少なくとも１つの命令と、コンピュータに、オリジナル装置上で、デスティネーション装置上で、又はこれらの組み合わせ上でデジタルコンテンツを使用するためのライセンスをライセンス供与サーバに要求させる少なくとも１つの命令と、を含むことができる。
【０００９】
さらに他の態様では、コンテンツライセンスを管理する方法が開示され、この方法は、デスティネーション装置においてコンテンツを使用するためのライセンスに関する要求をオリジナル装置から受信することと、ライセンスが要求されたデジタルコンテンツのリストをオリジナル装置から受信することと、一致するコンテンツを見つけるために、コンテンツ権利データベースを探索することと、を含むことができる。
【００１０】
他の態様では、ライセンス供与サーバが開示され、このライセンス供与サーバは、デスティネーション装置においてコンテンツを使用するためのライセンスに関する要求をオリジナル装置から受信する手段と、ライセンスが要求されたデジタルコンテンツのリストをオリジナル装置から受信する手段と、一致するコンテンツを見つけるために、コンテンツ権利データベースを探索する手段と、を含むことができる。
【００１１】
さらに他の態様では、ライセンス供与サーバが提供される。このライセンス供与サーバは、プロセッサと、このプロセッサにとってアクセス可能なメモリと、を含むことができる。このメモリは、デスティネーション装置においてコンテンツを使用するためのライセンスに関する要求をオリジナル装置から受信する少なくとも１つの命令と、ライセンスが要求されたデジタルコンテンツのリストをオリジナル装置から受信する少なくとも１つの命令と、一致するコンテンツを見つけるために、コンテンツ権利データベースを探索する少なくとも１つの命令と、を含むことができる。
【００１２】
さらに他の態様では、コンピュータプログラムプロダクトが提供され、このコンピュータプログラムプロダクトは、コンピュータ読み取り可能媒体を含むことができる。このコンピュータ読み取り媒体は、コンピュータに、デスティネーション装置においてコンテンツを使用するためのライセンスに関する要求をオリジナル装置から受信させる少なくとも１つの命令と、コンピュータに、ライセンスが要求されたデジタルコンテンツのリストをオリジナル装置から受信させる少なくとも１つの命令と、コンピュータに、一致するコンテンツを見つけるために、コンテンツ権利データベースを探索させる少なくとも１つの命令と、を含むことができる。
【００１３】
他の態様では、コンテンツライセンス供与システムが提供される。このコンテンツライセンス供与システムは、コンテンツにアクセスするように動作可能な第１装置と、この第１装置と通信しているライセンス供与サーバと、を含むことができる。このライセンス供与サーバは、第１装置によってアクセス可能なコンテンツを使用するためのライセンスを生成するように動作可能である。
【００１４】
さらに他の態様では、コンテンツライセンス供与システムが提供される。このコンテンツライセンス供与システムは、コンテンツにアクセスするように動作可能な第１装置と、この第１装置と通信しているライセンス供与サーバと、を含むことができる。このライセンス供与サーバは、第１装置によってアクセス可能なコンテンツに対する権利を所有するためのライセンスを生成するように動作可能である。
【００１５】
さらに他の態様では、コンテンツライセンス供与システムが提供される。このコンテンツライセンス供与システムは、コンテンツにアクセスするように動作可能な第１装置と、第２装置と、これらの第１及び第２装置と通信しているライセンス供与サーバと、を含むことができる。このライセンス供与サーバは、第１装置によってアクセス可能なコンテンツを第２装置上で使用するためのライセンスを生成するように動作可能である。
【００１６】
他の態様では、コンテンツライセンス供与システムが提供される。このコンテンツライセンス供与システムは、コンテンツにアクセスするように動作可能な第１装置と、第２装置と、これらの第１及び第２装置と通信するライセンス供与サーバと、を含むことができる。このライセンス供与サーバは、第２装置上で、第１装置によってアクセス可能なコンテンツに対する権利を所有するためのライセンスを生成するように動作可能である。さらに、第２装置が、生成されたライセンスのもとに、コンテンツにアクセスするように動作可能である。
【００１７】
上述及び関連する目的の達成のために、１以上の態様は、以下に充分に説明された特徴、及び特許請求の範囲で特に指摘された特徴を含む。以下の説明及び添付の図面は、１以上の態様のうちの特定の実例となる態様を詳細に記載している。しかしながら、これらの態様は、種々の態様の原理が使用されることができる種々の方法のうちのほんの数例を示すだけであり、説明された態様は、全てのそのような態様及びそれらの同等物を含むように意図される。
【００１８】
開示される態様は、添付の図面とともに以下に説明される。添付の図面は、例証するために用意され、開示の態様を限定するものではない。各図において、同様の符号は、同様の要素を指している。
【図面の簡単な説明】
【００１９】
【図１】図１は、コンテンツライセンス供与システムの第１の典型的かつ非限定的な態様を示すブロック図である。
【図２】図２は、コンテンツライセンス供与システムの第２の典型的かつ非限定的な態様を示すブロック図である。
【図３】図３は、コンテンツライセンス供与システムの第３の典型的かつ非限定的な態様を示すブロック図である。
【図４】図４は、コンテンツライセンス供与システムの第４の典型的かつ非限定的な態様を示すブロック図である。
【図５】図５は、コンテンツライセンス供与システムの第５の典型的かつ非限定的な態様を示すブロック図である。
【図６】図６は、一態様に従って、コンテンツライセンスを取得する方法を示すフローチャートである。
【図７】図７は、さらに他の態様に従って、コンテンツライセンスを提供する方法を示すフローチャートである。
【図８】図８は、一態様に従って、典型的なデータネットワークを示すブロック図である。
【図９】図９は、一態様に従って、無線データ通信ネットワークを通じて１以上の無線装置にストリーミングコンテンツを配信するように動作可能なサーバの一態様を示す機能ブロック図である
【図１０】図１０は、一態様に従って、無線電話の典型的かつ非限定的な態様を示すブロック図である。
【詳細な説明】
【００２０】
本システム、装置、装置、方法及びコンピュータ読み取り可能な製品は、本発明の態様が示される添付の図面を参照して、以下に、より詳細に説明される。ここの教示が種々様々の形態で実現されること、並びに、ここに開示されているいかなる特定の構造、機能、又はそれら両方が単に典型的なものに過ぎないことは、明らかである。ここの教示に基づいて、当業者は、ここに開示される一態様が任意の他の態様とは独立に実施されてもよいこと、並びに、これらの態様の２以上が種々の方法で組み合わされてもよいことは、認識するべきである。例えば、装置は、ここに説明される任意の数の実施形態を使用して実施されることができ、或いは、方法は、ここに説明される任意の数の実施形態を使用して実行されることができる。さらに、そのような装置は、ここに説明される実施形態のうちの１以上に加えて他の構造、機能性、又は構造及び機能性を使用して、若しくは、ここに説明される実施形態以外の他の構造、機能性、又は構造及び機能性を使用して実施されることができ、或いは、そのような方法は、ここに説明される実施形態のうちの１以上に加えて他の構造、機能性、又は構造及び機能性を使用して、若しくは、ここに説明される実施形態以外の他の構造、機能性、又は構造及び機能性を使用して実行されることができる。
【００２１】
ここに使用されるように、単語「典型的（exemplary）」は、「例（example）、事例（instance）又は実例（illustration）となる」ことを意味するように使用される。「典型的」としてここに説明されるいかなる態様も、他の態様よりも好ましい、或いは、有利であると解釈されるわけではない。
【００２２】
以下の記述は、コンテンツライセンス供与システム（content licensing system）の１以上の態様について説明している。コンテンツライセンス供与システムは、ユーザがオリジナルのコンピュータ装置上で、ユーザによって所有される選択されたコンテンツ（selected content）を使用するライセンスを取得することを可能にし、或いは、ユーザがデスティネーション装置（destination device）上で、オリジナルのコンピュータ装置からユーザによってアクセスすることが可能な選択されたコンテンツを使用するライセンスを取得することを可能にする。他の実施では、コンテンツライセンス供与システムは、ユーザがユーザのオリジナル装置（original device）上で、ユーザによって所有される選択されたコンテンツを所有する権利を購入することを可能にし、或いは、ユーザが、デスティネーション装置上で、オリジナルのコンピュータ装置上でユーザによってアクセス可能な選択されたコンテンツを所有する権利を購入することを可能にする。
【００２３】
一態様によれば、ライセンスを与えられるコンテンツは、保護されたデジタルコンテンツであり、それは、例えば、著作権のあるコンテンツでありうる。以下に限定されることはないが、使用又は所有権に関するライセンスを与えられる典型的なコンテンツは、アプリケーション、グラフィックス、テーマ、オーディオ、ビデオ、リンガー、壁紙、音楽、トーン、ピクチャ、アドレス帳等を含む。
【００２４】
一例では、コンテンツライセンス供与システムは、オリジナル装置、デスティネーション装置及びライセンス供与サーバ（licensing server）を含む。オリジナル装置及びデスティネーション装置の各々は、ライセンス供与クライアント（licensing client）を含み、一方、ライセンス供与サーバは、ライセンス供与サービス（licensing service）を含む。一態様によれば、コンテンツライセンス供与システムは、流通システム（distribution system）をさらに含む。一例では、ライセンス供与プロセスは、ユーザがオリジナル装置にライセンス供与クライアントをダウンロードし、オリジナル装置上でライセンス供与クライアントを実行することから始まる。一例では、オリジナル装置及びデスティネーション装置は、任意のタイプのコンピュータ装置であってもよい。他の例では、オリジナル装置及び／又はデスティネーション装置は、モバイル装置であってもよい。
【００２５】
一例では、契約（agreement）に従って、ライセンスを与えられるべきコンテンツの法律上の権利者（rights holder）は、ライセンス供与サーバが、料金又は他の対価（consideration）（例えば、適切な加入料（subscription fee）、適切な購入価格等）に対して、権利者のコンテンツの全部又は指定されたサブセット（subset）を使用又は所有するためのライセンスを他者に与えることを許可する。
【００２６】
契約に基づいて、権利者は、ライセンス供与サーバによってアクセス可能なコンテンツ権利データベースに、権利者のコンテンツの全部又は指定されたサブセットを登録する。
【００２７】
一態様では、ライセンス供与クライアントは、オリジナル装置にダウンロードされたコンテンツ、又はオリジナル装置よってアクセス可能なコンテンツをスキャンする（scan）ように動作する。その後、ユーザは、選択されたコンテンツを使用又は購入するために、ライセンスを要求するライセンス供与クライアントを介して、ライセンス供与サーバと通信する。ライセンス供与サーバ内に定められたライセンス供与サービスは、選択されたコンテンツに関するユーザの要求を受信し、かつ、一致する（matching）登録済みのコンテンツを求めて、コンテンツ権利データベースを探索する（search）するように動作可能である。一致する登録済みのコンテンツが見つかった場合、ライセンス供与サーバは、適切な料金に対して、デスティネーション装置上で選択されたコンテンツを使用又は所有するための新しいライセンスを作成するように動作する。一例では、適切な料金は、割引価格でありうる。その後、選択されたコンテンツは、新しいライセンス契約に従ってデスティネーション装置へ送信されることができる。一例では、選択されたコンテンツは、新しいライセンス契約に従ってオリジナル装置にとっても利用可能とすることもできる。
【００２８】
一態様によれば、オリジナル装置、サーバ及びデスティネーション装置は、一例として次に示すような、いかなるタイプの有線（wired）又は無線端末であってもよい。任意のタイプの有線（wired）又は無線端末としては、以下に限定されることはないが、デスクトップコンピュータ、ノート型コンピュータ、無線電話、ページャ、ＰＤＡ、電子メール装置、タブレットコンピュータ、或いは、他のタイプの有線又は無線装置がある。１以上の態様では、サーバ及び装置は、いかなるタイプの装置であってもよく、ネットワークへの夫々に関連する接続は、無線、有線、又はその任意の組み合わせであってもよい。従って、コンテンツライセンス供与システムの態様は、ここに説明されるようなコンテンツライセンス供与システムの機能を提供するように動作する種々のサーバ及び端末を有するいかなるネットワーク構成を実質的に使用して、実施されることができる。
【００２９】
一実施では、コンテンツライセンス供与システムは、ランタイム環境を実行する無線装置を使用して実施されることができる。このような１つのランタイム環境は、カリフォルニア州サンディエゴのクゥアルコム社（Qualcomm Incorporated）によって開発された無線用バイナリランタイム環境（ＢＲＥＷ（登録商標））ソフトウェアプラットホームである。ランタイム環境は、例えば装置の特定のリソースに対する一般化された呼び出しを提供するように、装置の動作を単純化するために使用される。特に、コンテンツライセンス供与システムの１以上の態様は、有線及び無線装置にコンテンツの使用許可を与えるために、他のタイプのランタイム環境を含む使用に適している。
【００３０】
一例では、そこで、オリジナル又はデスティネーション装置は、ＢＲＥＷ対応（BREW-enabled）であり、コンテンツライセンス供与システムは、ユーザが、売買契約（subscription agreement）又は購入オプションを通じて権利を取得する第２のデスティネーション装置上で、選択されたコンテンツにアクセスすることを可能にする。
【００３１】
まず図１を参照すると、コンテンツライセンス供与システムの第１の典型的な限定されない態様は、示され、概して１００と指定される。図示されるように、コンテンツライセンス供与システム１００は、オリジナル装置１０２、デスティネーション装置１０４、及びライセンス供与サーバ１０６を含むことができる。特定の態様では、ライセンス供与サーバ１０６は、ネットワーク１０８及び関連する通信チャネルを介して、オリジナル装置１０２及び第１のデスティネーション装置１０４と通信することができる。ネットワーク１０８は、いかなるタイプのネットワークであってもよい。例えば、ネットワーク１０８は、有線ネットワーク、無線ネットワーク、プライベートネットワーク、パブリックネットワーク、又はそれらの任意の組み合わせであってもよい。さらに、関連する通信チャネルは、いかなるタイプの有線通信チャネル、無線通信チャネル、又はそれらの組み合わせであってもよい。
【００３２】
図１は、ライセンス供与サーバ１０６がライセンス供与サービス１１０を含むことができることを示す。さらに、オリジナル装置１０２は、そこに、例えば、オリジナル装置１０２のメモリに、インストールされた第１のライセンス供与クライアント１１２を含むことができる。デスティネーション装置１０４は、同様に、他のライセンス供与クライアント１１４を含むことができる。
【００３３】
図１に示されるように、第１権利者１１６は、例えばネットワーク１０８経由で、ライセンス供与サーバ１０６と通信することができる。第１権利者１１６は、ライセンス供与サーバ１０６と、即ち、ライセンス供与サーバ１０６の所有者と第１契約１１８を結ぶことができる。ここにさらに詳細に説明されるように、第１契約１１８は、第１権利者１１６によって作成され、第１権利者１１６によって所有され、或いは別の方法で第１権利者１１６に関連づけられるコンテンツの全部又は指定されたサブセットを使用又は所有するために、ライセンス供与サーバ１０６に、又はライセンス供与サーバ１０６の所有者にライセンスを与えることができる。ライセンスは、料金又は他の対価と引き換えに与えられることができる。図１は、コンテンツ権利データベース１２０がライセンス供与サーバ１０６に接続され、コンテンツ権利データベース１２０がライセンス供与サーバ１０６によってアクセス可能であることをさらに示している。コンテンツ権利データベース１２０は、コンテンツ及び関連する権利１２２、例えば、第１権利者１１６から受信したコンテンツ及び権利を格納することができる。
【００３４】
図１は、ユーザ１２４がオリジナル装置１０２に関連づけられることができることを示している。さらに、コンテンツサーバ１２６は、ネットワーク１０８に接続されることができる。コンテンツストレージデータベース（content storage database）１２８は、コンテンツサーバ１２６に接続されることができる。特定の態様では、ユーザ１２４は、コンテンツサーバ１２６によって提供されるアクセスを通じて、ネットワーク１０８を介して、コンテンツストレージデータベース１２８に格納されている選択されたコンテンツにアクセスすることができる。コンテンツストレージデータベース１２８がコンテンツを格納するのに好適ないかなる記録媒体であってもよいことは、理解されるべきである。
【００３５】
特定の態様では、ユーザ１２４は、オリジナル装置１０２上に存在するデジタルコンテンツにアクセスして使用することができる。ユーザ１２４は、そのようなコンテンツがオリジナル装置１０２によってアクセス可能な限りは、他のネットワーク装置上に存在しているデジタルコンテンツにさらにアクセスして使用することができる。ユーザ１２４は、例えばネットワーク１０８経由で、遠隔に格納されたデジタルコンテンツにアクセスするために、オリジナル装置１０２をさらに使用することができる。一例によれば、ユーザ１２４は、オリジナル装置１０２によって提供されるユーザインタフェース、又はオリジナル装置１０２に関連するユーザインタフェースを通じて、ライセンス供与サーバ１０６と通信することができる。他の態様では、ユーザ１２４は、ウェブブラウザによって提供されるユーザインタフェースを通じて、ライセンス供与サーバ１０６と相互作用する（interact with）ことができる。
【００３６】
以下により詳細に説明されるように、一態様では、ユーザ１２４は、第１のデスティネーション装置１０４のような異なる装置上で、オリジナル装置１０２を介してユーザがアクセス可能なコンテンツを、使用又は所有するライセンスを取得することができる。一態様では、ライセンス供与サーバ１０６は、コンテンツライセンス供与システム１００内の他のコンポーネント又は第１のライセンス供与クライアント１１２と通信するために、ＨＴＴＰＳ、Ｗｅｂサービス（ＳＯＡＰ）等を実装することができる。
【００３７】
特定の態様では、第１権利者１１６は、第１権利者のデジタルコンテンツに対する法的権利を所有することができる。第１権利者１１６は、デジタルコンテンツの著作権保護の実施とともに、デジタルコンテンツの生産、製造、配布及び宣伝（promotion）を管理して調整するように構成されたエンティティ（entity）であってもよい。
【００３８】
法的権利者として、第１契約１１８に従って、第１権利者１１６は、ライセンス供与サーバ１０６が、料金又は他の対価に対して、第１権利者のコンテンツの全部又は指定されたサブセットをしようするためのライセンスを与えることを許可する。例えば、第１契約１１８に従って、第１権利者１１６は、ライセンス供与サーバ１０６が、取り決められた（agreed upon）加入料と引き換えに、第１権利者１１６によって所有されているコンテンツの使用を許可することを認めることができる。代替として、第１権利者１１６は、ライセンス供与サーバ１０６が、取り決められた購入料金（purchase fee）と引き換えに、選択されたコンテンツの所有を許可することを認めてもよい。一例では、第１権利者１１６は、コンテンツ権利データベース１２０に、第１権利者のコンテンツの全部又は選択されたサブセットを登録することができる。
【００３９】
一態様では、ユーザ１２４は、選択されたコンテンツを購入するために、或いは、使用するライセンスを要求するために、ライセンス供与サーバ１０６と通信することができる。一例では、選択されたコンテンツは、ユーザ１２４に関連するオリジナル装置１０２にローカルに格納されることができる。他の例では、選択されたコンテンツは、ネットワーク１０８及びコンテンツサーバ１２６を介してオリジナル装置１０２によってアクセス可能なコンテンツストレージデータベース１２８に遠隔に格納されることができる。
【００４０】
さらに、オリジナル装置内の第１のライセンス供与クライアント１１２は、オリジナル装置１０２によってアクセス可能なデジタルコンテンツ、又はオリジナル装置１０２上に存在するデジタルコンテンツを発見するために、或いは他の方法で見つける（locate）ために、オリジナル装置１０２をスキャンするように動作することができる。デジタルコンテンツがコンテンツストレージデータベース１２８に格納されるような場合では、第１のライセンス供与クライアント１１２は、コンテンツサーバ１２６を利用することによって、コンテンツストレージデータベース１２８をスキャンするように動作可能とすることができる。オリジナル装置１０２によってアクセス可能な、又は、オリジナル装置１０２にダウンロードされたコンテンツが、いかなるデジタル保護されたコンテンツ、例えば、音楽、ビデオ、アプリケーション、画像、着信音、壁紙、テーマ、ゲームレベル（game level）、スコア（score）、コンタクト（contact）、カレンダー等を含んでもよいことは、理解されるべきである。ここに使用されるように、用語「アプリケーション（application）」は、例えばオブジェクトコード、スクリプト、バイトコード、マークアップ言語ファイル及びパッチ等の実行可能なコンテンツを有するファイルをさらに含むことができる。さらに、ここに言及されるような「アプリケーション」は、開かれる必要があるドキュメント、又はアクセスされる必要のある他のデータファイルのような事実上実行可能でないファイルをさらに含むことができる。
【００４１】
スキャンされたコンテンツストレージデータベース１２８に格納された全てのコンテンツ、又はコンテンツのサブセットを持つことをユーザ１２４が要求してもよいことは、認識されるべきである。ユーザ１２４によって所有されているコンテンツ、又はオリジナル装置１０２を介してユーザ１２４によってアクセス可能なコンテンツを見つけるために、ネットワークサーバの全部又はネットワークサーバの選択されたサブセットにスキャンさせるオプションをユーザ１２４が与えられてもよいことに、さらに留意すべきである。一態様では、第１のライセンス供与クライアント１１２は、オリジナル装置１０２によってアクセス可能なコンテンツに、或いは、オリジナル装置１０２にダウンロードされたコンテンツに関連するメタデータを含むように構成されたライブラリーファイルをスキャンするように動作可能でありうる。一例によれば、第１のライセンス供与クライアント１１２は、スキャンされたコンテンツに関連するメタデータを含むリストを生成することができる。他の例では、コンテンツは、オリジナル装置１０２上でカタログファイルから選択されることができる。
【００４２】
一旦スキャン動作が完了すると、第１のライセンス供与クライアント１１２は、第１のデスティネーション装置１０４を介して、スキャンされた全てのコンテンツ、又はスキャンされたコンテンツのサブセットにアクセスする新しいライセンスを取得するオプションをユーザに提供することができる。新しいライセンス契約に従って、ユーザは、適切な料金と引き換えに第１のデスティネーション装置１０４において、選択されたコンテンツを、使用又は所有する権利を有することができる。例えば、ユーザは、選択されたコンテンツに対応するメタデータに関連するボックス（box）をマークする（mark）ことにより、任意の所望するサブセット又は全てのコンテンツを選択することができる。
【００４３】
以下にさらに詳細に説明されるように、ユーザ１２４は、加入プラン（subscription plan）のもとに、第１のデスティネーション装置１０４上で、選択されたコンテンツにアクセスするライセンスを取得することができる。代替として、ユーザは、適切な購入価格と引き換えに第１のデスティネーション装置１０４上でデジタルコンテンツを所有するライセンスを取得することができる。一例では、購入価格又は加入価格は、割引価格でありうる。
【００４４】
特定の態様では、ライセンス供与サービス１１０は、選択されたコンテンツに関するユーザの要求を受信し、要求されたコンテンツに関してコンテンツ権利データベース１２０を探索することができる。一実施では、ライセンス供与サービス１１０は、ユーザに選択されたコンテンツに関連するメタデータに一致するメタデータを有する登録済みのコンテンツに関して、コンテンツ権利データベース１２０を探索してもよい。一例では、ユーザの要求は、選択されたコンテンツに関連するメタデータのリストを含むことができる。一態様によれば、ライセンス供与サービス１１０は、コンテンツ権利データベース１２０に格納された登録済みのコンテンツに関連するメタデータのリストを探索する。
【００４５】
ライセンス供与サービス１１０が、エンドユーザに選択されたコンテンツに関連するメタデータと一致する登録済みのコンテンツに関連するメタデータを見つけた場合、オリジナル装置１０２内の第１のライセンス供与クライアント１１２は、通知されることができる。このポイントでは、ユーザ１２４は、ライセンス供与サービス１１０に好ましいライセンスのタイプを伝達することができる。ライセンスについてのユーザの選択を受信すると、ユーザの好みに対応するタイプを持つライセンスが生成されることができる。
【００４６】
一例では、例えば、第２のライセンス供与クライアント１１４は、ネットワーク１０８経由で、ライセンス供与サーバ１０６から第１のデスティネーション装置１０４にダウンロードされることができる。第２のライセンス供与クライアント１１４が第１のデスティネーション装置１０４にダウンロードされた後、第１のデスティネーション装置１０４は、ライセンス供与サーバ１０６から、選択されたコンテンツ及びライセンス情報（licensing information）を受信することができる。ライセンス情報及び選択されたコンテンツを受信すると、ユーザ１２４は、第１のデスティネーション装置１０４上で選択されたコンテンツにアクセスするために、第２のライセンス供与クライアント１１４を実行することができる。
【００４７】
一例によれば、コンテンツライセンス供与システム１００は、第１のデスティネーション装置１０４の初めの接続時に第１のデスティネーション装置１０４へ、選択されたコンテンツ及びライセンス情報を実質的には自動的に送信することができる。例えば、第１のデスティネーション装置１０４がネットワーク１０８に接続し、第１のデスティネーション装置１０４のネットワーク１０８への接続が確認された後に、選択されたコンテンツ及びライセンス情報は、ユーザ１２４との少しの相互作用（interaction）もなく、或いは、ユーザ１２４からの最小の相互作用によって、第１のデスティネーション装置１０４に送信されることができる。ライセンス供与サーバ１０６は、オリジナル装置１０２へ新しいライセンス契約のコピーをさらに送信することができる。
【００４８】
一態様では、ここに説明されるように、第１のライセンス供与クライアント１１２及び第２のライセンス供与クライアント１１４は、夫々オリジナル装置１０２及びデスティネーション装置１０４内で実行されうるソフトウェアアプリケーションでありうる。このように、たとえコンテンツが当初は非合法にダウンロードされたものだとしても、ユーザ１２４は、新しいライセンス契約のもとに、ユーザに選択されたコンテンツを合法的に使用又は所有する機会を与えられる。
【００４９】
一例によれば、コンテンツライセンス供与システム１００は、ユーザがデスティネーション装置１２６上でオリジナル装置１０２によってアクセス可能なユーザの音楽をダウンロードすることを、或いはこのようなユーザの音楽にアクセスすることを可能にするように、実施されることができる。一例では、オリジナル装置１０２は、デスクトップ型コンピュータ装置及び第１のデスティネーション装置１０４モバイル装置でありうる。
【００５０】
一例では、第１のライセンス供与クライアント１１２は、オリジナル装置１０２をスキャンし、オリジナル装置１０２上にダウンロードされた１００個の音楽ファイルを見つけることができる。一例では、ユーザ１２４は、１００ドル（１００．００ドル）という合計購入価格と引き換えに、オリジナル装置上に１００個の音楽ファイルをダウンロードすることができる。第１のライセンス供与クライアント１１２によるスキャン動作は、ネットワーク１０８上の他のコンピュータ装置上に、定められたオリジナル装置１０２によってアクセス可能なさらに他の２００個の音楽ファイルをさらに見つけることができる。一例では、ユーザは、２００ドル（２００．００ドル）の必要な購入料金を払わずに、２００個の音楽ファイルへのアクセス権を有することができる。言い換えると、ユーザ１２４は、適切な許可なしに、２００個のファイルをアクセスすることができる。
【００５１】
一例によれば、ユーザ１２４は、ユーザ１２４に関連する第１のデスティネーション装置１０４上で、３００個の音楽ファイルの全てをダウンロードしたい、或いは、これらの音楽ファイルにアクセスしたいが、一方で、ユーザ１２４は、第１のデスティネーション装置１０４上に正規の１００個の音楽ファイルをダウンロードするために、さらに他の１００ドル（１００．００ドル）を払いたくないかもしれない。さらに、ユーザ１２４は、必要な２００ドル（２００．００ドル）の料金を払わずに、適切な許可を備えた第１のデスティネーション装置１０４上に違法の２００個の音楽ファイルをダウンロードすることを望むかもしれない。
【００５２】
従って、一態様では、コンテンツライセンス供与システムは、割引価格で、新しいライセンス契約のもとに第１のデスティネーション装置１０４上に３００個全ての音楽ファイルをダウンロードする機会を、ユーザ１２４に有益に与えることができる。このように、ユーザ１２４は、オリジナル装置１０２に関連するカタログ中にあるユーザの好みの音楽ファイルを見つけてダウンロードするために、さらに他のカタログに目を通すようには要求されない。さらに、ユーザは、割引価格でユーザに選択された音楽にアクセスすることができる。
【００５３】
このように、コンテンツライセンス供与システム１００は、ユーザ１２４による第１のデスティネーション装置１０４上での違法の２００個の音楽ファイルの使用に対する支払金を受け取る機会を、権利及びコンテンツを所有する１以上の音楽レーベル会社（music label company）に提供することができる。恐らくは、音楽レーベル会社は、ユーザ１２４によるオリジナル装置１０２上での違法の２００個の音楽ファイルの使用に対する対価を受け取っていなかっただろう。さらに、コンテンツライセンス供与システム１００は、ユーザによってアクセス可能な、又はユーザの装置上に存在する音楽ファイルに基づいて、ユーザ１２４にさらなる音楽ファイルを売る機会を、１以上の音楽レーベル会社に提供することができる。
【００５４】
図２に移ると、コンテンツライセンス供与システムの第２の典型的な限定されない態様が示され、概して２００に指定される。図示されるように、コンテンツライセンス供与システム２００は、オリジナル装置２０２、デスティネーション装置２０４、及びライセンス供与サーバ２０６を含むことができる。特定の態様では、ライセンス供与サーバ２０６は、ネットワーク２０８及び関連する通信チャネルを介して、オリジナル装置２０２及び第１のデスティネーション装置２０４と通信することができる。ネットワーク２０８は、いかなるタイプのネットワークであってもよい。例えば、ネットワーク２０８は、有線ネットワーク、無線ネットワーク、プライベートネットワーク、パブリックネットワーク、又はこれらの任意の組み合わせであってもよい。さらに、関連する通信チャネルは、いかなるタイプの有線通信チャネル、無線通信チャネル、又はこれらの組み合わせであってもよい。
【００５５】
図２は、ライセンス供与サーバ２０６がその中にライセンス供与サービス２１０を含むことができることを示す。さらに、オリジナル装置２０２は、そのなかに、例えば、オリジナル装置２０２のメモリにインストールされた第１のライセンス供与クライアント２１２を含むことができる。デスティネーション装置２０４は、そのなかに第２のライセンス供与クライアント２１４を含むことができる。
【００５６】
図２に示されるように、第１権利者２１６は、例えばネットワーク２０８経由で、ライセンス供与サーバ２０６と通信することができる。第１権利者２１６は、ライセンス供与サーバ２０６、即ち、ライセンス供与サーバ２０６の所有者と第１契約（Ａ１）２１８を結ぶことができる。ここにより詳細に説明されるように、第１契約２１８は、第１権利者２１６によって作成され、第１権利者２１６によって所有され、或いは他の方法で第１権利者２１６に関連づけられたコンテンツの全部又は指定されたサブセットを使用又は所有するために、ライセンス供与サーバ２０６又はその所有者にライセンスを与えることができる。ライセンスは、料金又は他の対価と引き換えに与えられることができる。
【００５７】
図２は、コンテンツ権利データベース２２０がライセンス供与サーバ２０６に接続され、ライセンス供与サーバ２０６によってアクセス可能であることをさらに示している。コンテンツ権利データベース２２０は、コンテンツ及び関連する権利２２２、例えば第１権利者２１６から受信した権利及びコンテンツを格納することができる。
【００５８】
図２は、ユーザ２２４がオリジナル装置２０２に関連づけられることができることを示す。さらに、コンテンツストレージデータベース２２６は、オリジナル装置２０２に接続されていることができる。特定の態様では、ユーザ２２４は、コンテンツストレージデータベース２２６に格納されている選択されたコンテンツにアクセスするために、オリジナル装置２０２を使用することができる。コンテンツストレージデータベース２２６がコンテンツを格納するのに適切な任意の記録媒体であってもよいは、理解されるべきである。
【００５９】
図２に示されるように、コンテンツライセンス供与システム２００は、ネットワーク２０８を介してオリジナル装置２０２によってアクセスされることができる流通システム２２８をさらに含むことができる。図２は、流通システム２２８がその中に課金システム（billing system）２３０及び配信システム（delivery system）２３２を含むことができることを示す。さらに、図２は、ライセンス供与サーバ２０６が例えばライセンス供与サービス２１０内に、管理エンジン２３４をさらに含むことができることを示している。
【００６０】
特定の態様では、ライセンス供与サーバ２０６は、図１に関連して説明した（図１の）ライセンス供与サーバ１０６と構成及び動作が同様であるとすることができる。ライセンス供与サーバ２０６は、ライセンス供与サーバ２０６及び第１権利者２１６間の契約２１８に従って、第１のデスティネーション装置２０４上で、オリジナル装置２０２からユーザに選択されたコンテンツを使用又は所有するライセンスをユーザ２２４に与える許可を含むことができる。
【００６１】
一例を挙げると、ライセンス供与プロセスは、ユーザ２２４がオリジナル装置２０２に第１のライセンス供与クライアント２１２をダウンロードすることから始まる。一例では、第１のライセンス供与クライアント２１２は、ライセンス供与サーバ２０６と通信し、かつ、ライセンス供与プロセスを始めるために、ウェブブラウザによって提供されるユーザインタフェースを使用することができる。代替として、第１のライセンス供与クライアント２１２は、オリジナル装置２０２によって提供されるユーザインタフェースを使用して、ライセンス供与プロセスを始めてもよい。
【００６２】
第１のライセンス供与クライアント２１２がダウンロードされた後、第１のライセンス供与クライアント２１２は、オリジナル装置２０２上に存在するコンテンツ又はオリジナル装置２０２を介してユーザ２２４によってアクセス可能なコンテンツを見つけるために、オリジナル装置２０２をスキャンするように、オリジナル装置２０２で実行されることができる。コンテンツが、ネットワーク装置上にローカル又は遠隔に存在することができるコンテンツストレージデータベース２２６に格納されてもよいことは、認識されるべきである。
【００６３】
一態様によれば、第１のライセンス供与クライアント２１２は、オリジナル装置２０２又はコンテンツストレージデータベース２２６内のライブラリーファイルをスキャンすることができる。ライブラリーファイルは、選択されたコンテンツに関連するメタデータのリストを含むことができる。他の態様では、第１のライセンス供与クライアント２１２は、オリジナル装置２０２経由でユーザ２２４にアクセス可能なネットワーク装置上でコンテンツに関連するメタデータのリストを生成することができる。
【００６４】
このポイントでは、ユーザ２２４は、第１のデスティネーション装置２０４上で全てのコンテンツに、又はコンテンツの選択されたサブセットにアクセスするための新しいライセンスを取得するオプションを与えられることができる。
【００６５】
ユーザ２２４が選択をした後、第１のライセンス供与クライアント２１２は、ライセンス供与サーバ２０６内のライセンス供与サービス２１０に、選択されたコンテンツに関するユーザの要求を送ることができる。一態様によれば、送られるユーザの要求は、選択されたコンテンツに関連するメタデータのリストを含むことができる。一例では、ライセンス供与サーバ２０６内の管理エンジン２３４は、ユーザの要求を分析し、ユーザに選択されたコンテンツに関連するメタデータと一致するメタデータを含む登録済みのコンテンツに関してコンテンツ権利データベース２２０を探索することができる。一例では、ライセンス供与サーバ２０６は、オリジナル装置２０２に存在するコンテンツ又はオリジナル装置２０２にアクセス可能なコンテンツの使用又は所有権を許可するために使用されるビジネスロジックをホストする（host）ことができる。
【００６６】
一態様によれば、管理エンジン２３４は、選択されたコンテンツに関連するメタデータと一致するメタデータを含む登録済みのコンテンツを発見するために、或いは、見つけるために、コンテンツ権利データベース２２０上に登録済みのコンテンツに関連するメタデータのリストをスキャンすることができる。選択されたコンテンツに関連した一致するメタデータが見つかった場合、ユーザ２２４に通知されることができる。通知を受信した後に、ユーザ２２４は、第１のデスティネーション装置２０４上で、選択されたコンテンツを所有するライセンスを取得し続けることを選択することができる。代替として、ユーザは、加入プランに従って、選択されたコンテンツを使用するライセンスに取得することを選択してもよい。その後、ユーザの好みは、ライセンス供与サービス２１０に伝えられることができる。
【００６７】
ユーザの好みを受け取る際に、ライセンス供与サービス２１０は、新しいライセンス契約を生成し、流通システム２２８に、ユーザに選択されたコンテンツに関連するメタデータのリスト、ライセンス情報、及び関連する料金を転送することができる。流通システム２２８内の配信システム２３２は、選択されたコンテンツに関連するメタデータのリストを受信することができる。配信システム２３２は、選択されたコンテンツを取り出す（retrieve）ために、コンテンツ権利データベース２２０にさらにアクセスすることができる。配信システム２３２は、第１のデスティネーション装置２０４上に定められた第２のライセンス供与クライアント２１４に、選択されたコンテンツを配信することができる。例えば、一例を挙げると、ライセンス供与サーバ２０６は、選択されたコンテンツの配信のための配信動作を呼び出すために、流通システム２３０と通信することができる。
【００６８】
特定の態様では、流通システム２２８内の課金システム２３０は、新しいライセンスに関連するライセンス情報及び料金情報を受け取ることができる。さらに、課金システム２３０は、新しいライセンス契約のもとに、ユーザ２２４に支払うべきいくらかの料金の請求書を直接送ることができる。一例によれば、許可されるべき選択されたコンテンツに関連するメタデータのリストを送る場合、ライセンス供与クライアント２１２及び２１４は、ＨＴＴＰ通信プロトコル上でライセンス供与サーバ２０６と相互作用又は通信することができる。ライセンス供与サーバ２０６は、ＳＯＡＰ又はＨＴＴＰ上で流通システム２２８と通信することができる。
【００６９】
ここから図３を参照すると、コンテンツライセンス供与システムの第３の典型的な限定されない態様は、示され、一般に３００と指定される。図示されるように、コンテンツライセンス供与システム３００は、オリジナル装置３０２、第１のデスティネーション装置３０４、第２のデスティネーション装置３０６、及びライセンス供与サーバ３０８を含むことができる。特定の態様では、ライセンス供与サーバ３０８は、ネットワーク３１０及び関連する通信チャネルを介して、オリジナル装置３０２、第１のデスティネーション装置３０４、及び第２のデスティネーション装置３０６と通信することができる。ネットワーク３１０は、いかなるタイプのネットワークであってもよい。例えば、ネットワーク３１０は、有線ネットワーク、無線ネットワーク、プライベートネットワーク、パブリックネットワーク、又はこれらの任意の組み合わせでありうる。さらに、関連する通信チャネルは、いかなるタイプの有線通信チャネル、無線通信チャネル、又はこれらの組み合わせであってもよい。
【００７０】
図３は、ライセンス供与サーバ３０８がその内部にライセンス供与サービス３１２を含むことができることを示す。さらに、オリジナル装置３０２は、そのなかに、例えば、オリジナル装置３０２のメモリにインストールされた第１のライセンス供与クライアント３１４を含むことができる。第１のデスティネーション装置３０４は、同様に、そのなかに第２のライセンス供与クライアント３１６を含むことができる。さらに、第２のデスティネーション装置３０６は、そのなかにインストールされた第３のライセンス供与クライアント３１８を含むことができる。
【００７１】
図３に示されるように、第１権利者３２０及び第２権利者３２２は、例えばネットワーク３１０経由で、ライセンス供与サーバ３０８と通信することができる。第１権利者３２０は、ライセンス供与サーバ３０８と、即ち、ライセンス供与サーバ３０８の所有者と第１契約（Ａ１）３２４を結ぶことができる。さらに、第２権利者３２２は、ライセンス供与サーバ３０８と、即ち、ライセンス供与サーバ３０８の所有者と第２契約（Ａ２）３２６を結ぶことができる。ここにさらに詳細に説明されるように、第１契約３２４及び第２契約３２６は、夫々第１権利者３２０及び第２権利者３２２よって作成されたコンテンツ、第１権利者３２０及び第２権利者３２２よって所有されたコンテンツ、或いは他の方法で第１権利者３２０及び第２権利者３２２に関連するコンテンツの全て又は選択されたサブセットを、使用又は所有するために、ライセンス供与サーバ３０８に、又はその所有者に、ライセンスを与えることができる。ライセンスは、料金又は他の対価と引き換えに与えられることができる。
【００７２】
図３は、コンテンツ権利データベース３２８がライセンス供与サーバ３０８に接続され、ライセンス供与サーバ３０８によってアクセス可能であることができることをさらに示す。コンテンツ権利データベース３２８は、コンテンツ及び関連する権利３３０、例えば、第１権利者３２０及び第２権利者３２２から受信したコンテンツ及び権利を格納することができる。
【００７３】
図３は、ユーザ３３２がオリジナル装置３０２に関連づけられうることを示す。さらに、コンテンツストレージデータベース３３４は、オリジナル装置３０２、及びその内に格納されるコンテンツ３３６に接続されることができる。特定の態様では、ユーザ３３２は、コンテンツストレージデータベース３３４に格納されている選択されたコンテンツにアクセスするために、オリジナル装置３０２を使用することができる。コンテンツストレージデータベース３３４がコンテンツを格納するのに適切な任意の記録媒体であってもよいことは、理解されるべきである。
【００７４】
図３に示されるように、コンテンツライセンス供与システム３００は、ネットワーク３１０を介してオリジナル装置３０２によってアクセスされる流通システム３３８をさらに含むことができる。流通システム３３８は、上述したような（図２の）流通システム２２８と同様に構成され、同様に動作することができる。図３は、ライセンス供与サーバ３０８が、例えばライセンス供与サービス３１２内に、管理エンジン３４０をさらに含むことができることを示す。
【００７５】
上述したように、コンテンツ３３６は、コンテンツストレージデータベース３３４に格納されることができる。特定の態様では、コンテンツストレージデータベース３３４は、ユーザコンテンツのリスト及び関連するメタデータを含むことができる。例えば、図３に示されるように、コンテンツ１、コンテンツ２、コンテンツ３、コンテンツ４、及びコンテンツ５は、夫々それに関連するメタデータＣ１、Ｃ２、Ｃ３、Ｃ４、及びＣ５を含むことができる。
【００７６】
ユーザ３３２は、第１のデスティネーション装置３０４又は第２のデスティネーション装置３０６上で、全てのコンテンツ３３６又はコンテンツ３３６の選択されたサブセットにアクセスすることを選択することができる。特定の態様では、第１のライセンス供与クライアント３０４は、メタデータＣ１、Ｃ２、Ｃ３、及びＣ５を有する、選択されたコンテンツにアクセスするためのユーザの要求を、ライセンス供与サービス３０８に送ることができる。ライセンス供与サービス３０８内の管理エンジン３４０は、ユーザの要求を分析し、ユーザに選択されたコンテンツに関連するメタデータと一致するメタデータを含む登録済みのコンテンツに関して、コンテンツ権利データベース３２８の探索を始めることができる。
【００７７】
図示された例では、第１権利者３２０は、コンテンツ権利データベース３２８に登録されているコンテンツを含むことができる。コンテンツは、コンテンツ権利データベース３２８によってメタデータＣ１、Ｃ２及びＣ３を含むことができる。権利Ｒ−ＡＡは、第１契約３２４に従って作成されることができ、権利Ｒ−ＡＡは、メタデータＣ１、Ｃ２及びＣ３に関連づけられることができる。比較してみると、権利Ｒ−ＡＢは、第２権利者３２２とライセンス供与サーバ３０８、即ち、ライセンス供与サーバ３０８の所有者との間の第２契約３２６に従って作成されることができる。
【００７８】
従って、ユーザに選択されたコンテンツと一致するメタデータを有する登録済みのコンテンツに関しての、管理エンジン３４０によるコンテンツ権利データベース３２８の探索は、選択されたコンテンツＣ１、Ｃ２及びＣ３一致するものを見つけることに帰着する。反対に、コンテンツ５に関連するメタデータＣ５は、第１契約３２２及び第２契約３２６のいずれかのもとにコンテンツ権利データベース３２８に登録されないので、メタデータＣ５を有するコンテンツに関するユーザの要求は、完了されることができない。このポイントでは、ユーザ３３２は、第１のデスティネーション装置３０４又は第２のデスティネーション装置３０６上でコンテンツＣ５にアクセスするための新しいライセンスを割引価格で取得することができないことを通知されることができる。
【００７９】
通知を受信した後に、ユーザ３３２は、登録済みのコンテンツに、例えば選択されたコンテンツのサブセットに、アクセスするためのライセンスを取得し続けることを選択することができる。例えば、ユーザ３３２は、購入オプションを選択し、ライセンス供与サービス３１２にユーザ選択を伝達することができる。管理エンジン３４０は、適切な料金と引き換えに、第１のデスティネーション装置３０４上で、選択されたコンテンツ１、コンテンツ２及びコンテンツ３を所有する権利をユーザ３３２に与える新しいライセンスを生成することができる。
【００８０】
他の態様では、ユーザ３３２は、適切な加入料と引き換えに、第２のデスティネーション装置３０６上で選択されたコンテンツを使用するライセンスを要求することができる。選択されたコンテンツに関連するメタデータ及びライセンス情報は、流通システム３３８に送られることができる。メタデータのリストを使用して、流通システム３３８は、コンテンツ権利データベース３２８からコンテンツ１、コンテンツ２及びコンテンツ３を取得し、第１のデスティネーション装置３０４及び第２のデスティネーション装置３０６に、選択されたコンテンツを転送することができる。一例では、流通システム３３８は、ＢＲＥＷＲ配信システムでありうる。
【００８１】
第１のデスティネーション装置３０４及び第２のデスティネーション装置３０６へ選択されたコンテンツを転送する前に、第２のライセンス供与クライアント３１６及び第３のライセンス供与クライアント３１８は、夫々第１のデスティネーション装置３０４及び第２のデスティネーション装置３０６にダウンロードされることができる。ライセンス供与クライアント３０４及び３０６が第１のデスティネーション装置３０４及び第２のデスティネーション装置３０６にダウンロードされた後に、デスティネーション装置３０４及び３０６は、ライセンス供与サーバ３０８から、選択されたコンテンツ及び対応するライセンス情報を受信することが可能になることができる。ライセンス情報及び選択されたコンテンツを受信する際に、ユーザ３３２は、第１のデスティネーション装置３０４又は第２のデスティネーション装置３０６上で、選択されたコンテンツにアクセスすることができる。
【００８２】
図４を参照すると、コンテンツライセンス供与システムの第４の典型的な限定されない態様は、示され、概して４００に指定される。図示されるように、コンテンツライセンス供与システム４００は、オリジナル装置４０２、第１のデスティネーション装置４０４、第２のデスティネーション装置４０６、及びライセンス供与サーバ４０８を含むことができる。特定の態様では、ライセンス供与サーバ４０８は、ネットワーク４１０及び関連する通信チャネルを介して、オリジナル装置４０２、第１のデスティネーション装置４０４、及び第２のデスティネーション装置４０６と通信することができる。ネットワーク４１０は、いかなるタイプのネットワークであってもよい。例えば、ネットワーク４１０は、有線ネットワーク、無線ネットワーク、プライベートネットワーク、パブリックネットワーク、又はこれらの任意の組み合わせでありうる。さらに、関連する通信チャネルは、いかなるタイプの有線通信チャネル、無線通信チャネル、又はこれらの組み合わせであってもよい。
【００８３】
図４は、ライセンス供与サーバ４０８がその内部にライセンス供与サービス４１２を含むことができることを示す。さらに、オリジナル装置４０２は、そのなかに、例えば、オリジナル装置４０２のメモリにインストールされた第１のライセンス供与クライアント４１４を含むことができる。第１のデスティネーション装置４０４は、同様に、そのなかに第２のライセンス供与クライアント４１６を含むことができる。さらに、第２のデスティネーション装置４０６は、そのなかにインストールされた第３のライセンス供与クライアント４１８を含むことができる。
【００８４】
図４に示されるように、第１権利者４２０及び第２権利者４２２は、例えばネットワーク４１０経由で、ライセンス供与サーバ４０８と通信することができる。第１権利者４２０は、ライセンス供与サーバ４０８と、即ち、ライセンス供与サーバ４０８の所有者と第１契約（Ａ１）４２４を結ぶことができる。さらに、第２第２権利者４２２は、ライセンス供与サーバ４０８と、即ち、ライセンス供与サーバ４０８の所有者と第２契約（Ａ２）４２６を結ぶことができる。ここにさらに詳細に説明されるように、第１契約４２４及び第２契約４２６は、夫々第１権利者４２０及び第２の権利者４２２によって作成され、第１権利者４２０及び第２の権利者４２２によって所有され、或いは第１権利者４２０及び第２の権利者４２２に関連するコンテンツの全部又は指定されたサブセットを使用又は所有するために、ライセンス供与サーバ４０８に、又はライセンス供与サーバ４０８の所有者にライセンスを与えることができる。ライセンスは、料金又は他の対価と引き換えに与えられることができる。
【００８５】
図４は、コンテンツ権利データベース４２８がライセンス供与サーバ４０８に接続され、ライセンス供与サーバ４０８によってアクセス可能であることができることを示す。コンテンツ権利データベース４２８は、コンテンツ及び関連する権利４３０、例えば、第１権利者４２０及び第２の権利者４２２から受信したコンテンツ及び権利を格納することができる。
【００８６】
図４は、ユーザ４３２がオリジナル装置４０２に関連づけられうることを示す。さらに、コンテンツストレージデータベース４３４は、オリジナル装置４０２に接続されることができ、コンテンツ４３６は、そこに格納されることができる。特定の態様では、ユーザ４３２は、コンテンツストレージデータベース４３４に格納された、選択されたコンテンツにアクセスするために、
オリジナル装置４０２を使用することができる。コンテンツストレージデータベース４３４がコンテンツを格納するのに適切な任意の記録媒体であってもよいことは、理解されるべきである。
【００８７】
図４に示されるように、ライセンス供与サーバ４０８は、管理エンジン４３８、インタフェースエンジン４４０、課金エンジン４４２、及び配信エンジン４４４をさらに含むことができる。管理エンジン４３８、インタフェースエンジン４４０、課金エンジン４４２、及び配信エンジン４４４は、ライセンス供与サービス４１２の一部でありうる。
【００８８】
特定の態様では、ユーザ４３２は、オリジナル装置４０２に第１のライセンス供与クライアント４１４をダウンロードすることにより、ライセンス供与プロセスを始めることができる。ダウンロードが完了した後、第１のライセンス供与クライアント４１４は、オリジナル装置４０２にダウンロードされるデジタルコンテンツ、又はオリジナル装置４０２を使用してユーザによってアクセス可能なデジタルコンテンツに関して、オリジナル装置４０２をスキャンすることができる。図４に示されるように、オリジナル装置４０２によってアクセスされることができるコンテンツ４３６、例えば、コンテンツ１、コンテンツ２、コンテンツ３、コンテンツ４及びコンテンツ５は、夫々メタデータＣ１、Ｃ２、Ｃ３、Ｃ４及びＣ５を含むことができる。
【００８９】
ユーザ４３２は、第１のデスティネーション装置４０４及び第２のデスティネーション装置４０６上で、選択されたコンテンツ１、コンテンツ２及びコンテンツ３にアクセスする要求をすることができる。その後、第１のライセンス供与クライアント４１４は、第１のデスティネーション装置４０４及び第２のデスティネーション装置４０６で、選択されたコンテンツ１、コンテンツ２及びコンテンツ３にアクセスするユーザの要求を、ライセンス供与サービス４１２に送ることができ、或いは送信することができる。
【００９０】
一態様によれば、インタフェースエンジン４４０は、ユーザの要求を受信し、オリジナル装置４０２、第１のデスティネーション装置４０４及び第２のデスティネーション装置４０６にインタフェースを提供することができる。このように、インタフェースエンジン４４０は、オリジナル装置４３２に格納され、或いは、オリジナル装置４３２によってアクセス可能なコンテンツを見る（view）機会を、ユーザに提供することができる。
【００９１】
要求を受信すると、インタフェースエンジン４４０は、管理エンジン４３８にユーザの要求を伝達することができる。一例では、管理エンジン４３８は、ユーザの要求を分析し、ユーザに選択されたコンテンツに対応するメタデータと一致するメタデータを含む登録済みのコンテンツに関してのコンテンツ権利データベース４２８の探索を始めることができる。一例では、第１権利者４２０は、コンテンツ権利データベース４２８にコンテンツ１、コンテンツ２、コンテンツ３及びコンテンツ５を登録していてもよい。しかしながら、第２の権利者４２２は、第２の権利者４２２によってコンテンツ権利データベース４２８に登録されたコンテンツを有してはいない。
【００９２】
ライセンス管理エンジン４３８によるコンテンツ権利データベース４２８の探索は、コンテンツ１、コンテンツ２及びコンテンツ３に関連するメタデータと一致するメタデータを見つけることに帰着することができる。他方では、メタデータＣ５がコンテンツ権利データベース４２８に登録されないこので、コンテンツ５に関するユーザの要求は、完了しない。探索が完了した後に、インタフェースエンジン４４０は、新しいライセンスを取得することを考えているユーザが利用可能なオプション、及び関連する料金オプションについて、第１のライセンス供与クライアント４１４に通知することができる。
【００９３】
通知を受信した後に、ユーザ４３２は、メタデータＣ１、Ｃ２及びＣ３に関連する登録済みのコンテンツへのアクセスを続けることを選択することができる。このポイントでは、ユーザの選択は、インタフェースエンジン４４０に伝達されることができる。その後、管理エンジン４３８は、加入プラン又は購入プランに従って、第１のデスティネーション装置４０４及び第２のデスティネーション装置４０６上で選択されたコンテンツを使用する権利をユーザに与える新しいライセンスを生成することができる。
【００９４】
特定の態様では、配信エンジン４４４は、登録済みのコンテンツ１、コンテンツ２及びコンテンツ３のコピー、並びに、新しいライセンス契約Ｌ１を、第１のデスティネーション装置４０４上の第２のライセンス供与クライアント４１６に送信することができ、或いは他の方法で送ることができる。同様に、配信エンジン４４４は、登録済みのコンテンツ１、コンテンツ２及びコンテンツ３のコピー、並びに、新しいライセンス契約Ｌ１を、第２のデスティネーション装置４１８上のライセンス供与クライアント４１８に送信することができ、或いは他の方法で送ることができる。他の態様では、配信エンジン４４４は、オリジナル装置４０２に、選択されたコンテンツ及び新しいライセンスを送信することができ、或いは他の方法で送ることができる。
【００９５】
ライセンス供与サーバ４０８を介して取得された新しいライセンスが、コンテンツ権利データベース４２８に登録されたコンテンツを合法的に所有し、或いは、そのようなコンテンツに合法的にアクセスする権利を、ユーザ４３２に与えられることができることは、認識されるべきである。このように、一例では、ユーザが最初にコンテンツへのアクセスを取得し、オリジナル装置４０２にコンテンツをダウンロードした方法に関係なく、コンテンツライセンス供与システムは、デスティネーション装置４０４及び４０６上でコンテンツを使用し、或いは、デスティネーション装置４０４及び４０６上にコンテンツをダウンロードする権利をユーザに与えるために、実施されることができる。言い換えると、ユーザ４３２が当初は許可なしにコンテンツをダウンロードした場合、ユーザ４３２は、第１のデスティネーション装置４０４、第２のデスティネーション装置４０６、又はこれらの組み合わせ上で違法のコンテンツを使用するライセンスを与えられることができる。従って、コンテンツの以前の違法な不正使用は、認証され合法化される。
【００９６】
一例に従って、新しいライセンスを取得するより前に、ユーザ４３２が認証情報を提供するように要求されてもよいことは、さらに理解されるべきである。例えば、ユーザ４３２は、ユーザ４３２に関連する適切な認証証明書（authentication credential）、例えば、パスワードを、第１のライセンス供与クライアント４１４に提供するように要求されることができる。さらに、第１のライセンス供与クライアント４１４は、ユーザ４３２から受信した認証証明書をライセンス供与サーバ４０８に与え、認証を確認することができる。
【００９７】
ユーザが、異なるライセンス料で、異なるタイプの使用ライセンスを購入するオプションを有してもよいことは、同様に認識されるべきである。例えば、新しいライセンス契約の価格に従って、ライセンス供与サーバ４０８は、制限された回数だけ、特定の総使用時間（total time）の間だけ、特定のタイプのマシン上だけでコンテンツを使用することを許可することができる。さらに、一態様では、ユーザ４３２は、オリジナル装置４０２からデスティネーション装置４０４、４０６にコンテンツ４３６を転送する必要なしに、希望のコンテンツへのアクセスを取得することができる。
【００９８】
ここから図５を参照して、コンテンツライセンス供与システムの第５の典型的な限定されない態様は、示され、通常は５００と指定される。示されるように、コンテンツライセンス供与システム５００は、オリジナル装置５０２、第１のデスティネーション装置５０４、第２のデスティネーション装置５０６及びライセンス供与サーバ５０８を含むことができる。特定の態様では、ライセンス供与サーバ５０８は、ネットワーク５１０及び関連する通信チャネルを介して、オリジナル装置５０２、第１のデスティネーション装置５０４及び第２のデスティネーション装置５０６と通信することができる。ネットワーク５１０は、いかなるタイプのネットワークであってもよい。例えば、ネットワーク５１０は、有線ネットワーク、無線ネットワーク、プライベートネットワーク、パブリックネットワーク、又はこれらの任意の組み合わせでありうる。さらに、関連する通信チャネルは、いかなるタイプの有線通信チャネル、無線通信チャネル、又はこれらの組み合わせであってもよい。
【００９９】
図５は、ライセンス供与サーバ５０８がその内部にライセンス供与サービス５１２を含むことができることを示す。さらに、オリジナル装置５０２は、そこに、例えばオリジナル装置５０２のメモリに、インストールされた第１のライセンス供与クライアント５１４を含むことができる。第１のデスティネーション装置５０４は、同様に、そこに第２のライセンス供与クライアント５１６を含むことができる。さらに、第２のデスティネーション装置５０６は、そのなかにインストールされた第３のライセンス供与クライアント５１８を含むことができる。
【０１００】
図５に示されるように、第１権利者５２０及び第２権利者５２２は、例えばネットワーク５１０経由で、ライセンス供与サーバ５０８と通信することができる。第１権利者５２０は、ライセンス供与サーバ５０８と、即ち、ライセンス供与サーバ５０８の所有者と第１契約（Ａ１）５２４を結ぶことができる。さらに、第２権利者５２２は、ライセンス供与サーバ５０８と、即ち、ライセンス供与サーバ５０８の所有者と第２契約（Ａ２）５２６を結ぶことができる。ここにさらに詳細に説明されるように、第１契約５２４及び第２契約５２６は、夫々第１権利者５２０及びそれぞれ第２の権利者５２２によって作成され、第１権利者５２０及びそれぞれ第２の権利者５２２によって所有され、或いは他の方法で第１権利者５２０及びそれぞれ第２の権利者５２２に関連づけられたコンテンツの全部又は選択されたサブセットを使用又は所有するために、ライセンス供与サーバ５０８に、又はライセンス供与サーバ５０８の所有者にライセンスを与えることができる。ライセンスは、料金又は他の対価と引き換えに与えられることができる。
【０１０１】
図５は、コンテンツ権利データベース５２８がライセンス供与サーバ５０８に接続され、ライセンス供与サーバ５０８によってアクセス可能でありうることを示す。コンテンツ権利データベース５２８は、第１権利者５２０から受信したコンテンツ及び関連する権利５３０を格納し、第２の権利者５２２から受信したコンテンツ及び関連する権利５３２を格納することができる。
【０１０２】
図５は、ユーザ５３４がオリジナル装置５０２に関連づけられることができることを示す。さらに、コンテンツストレージデータベース５３６は、オリジナル装置５０２に接続されることができる。さらに、サーバ５３８は、オリジナル装置５０２に接続され、コンテンツストレージデータベース５３６にアクセスするために使用されることができる。特定の態様では、ユーザ５３４は、コンテンツストレージデータベース５３６に格納されている選択されたコンテンツにアクセスするために、オリジナル装置５０２を使用することができる。コンテンツストレージデータベース５３６がコンテンツを格納するのに適切な任意の記録媒体であってもよいことは、理解されるべきである。
【０１０３】
図５に示されるように、コンテンツライセンス供与システム５００は、１以上の通信塔（communication tower）５４０をさらに含むことができる。各通信塔５４０は、基地局（図示せず）に接続され、１以上の無線装置をサーブする（serve）ことができる。従って、第１のデスティネーション装置５０４及び第２のデスティネーション装置５０６は、セルラ電話、ページャ、パーソナルデジタルアシスタント（ＰＤＡ：portable digital assistant）、無線対応のラップトップ、他の電子装置と無線で通信することができる他の携帯型電子装置、又はこれらの組み合わせであってもよい。さらに、第１のデスティネーション装置５０４及び第２のデスティネーション装置５０６は、通信塔５４０を介して、これらに接続された他のコンポーネント及びネットワーク５１０と通信することができる。
【０１０４】
特定の態様では、データは、第１の無線モバイルデスティネーション装置（wireless mobile destination device）５０４及び第２の無線モバイルデスティネーション装置５０６の各々と通信塔５４０との間で送信されることができる。以下に詳細に説明されるように、無線モバイルデスティネーション装置５０４、５０６と通信塔５４０との間の通信は、異なる技術に基づいてもよい。通信塔５４０によって受信されたデータは、基地局（図示せず）へ送られることができ、その後、データは、移動体交換局（ＭＳＣ：mobile switching center）（図示せず）へ転送されることができる。ＭＳＣは、ネットワーク５１０に接続されてもよく、ＭＳＣは、高速データネットワークであってもよい。
【０１０５】
コンテンツライセンス供与システム５００は、前述したシステム１００、２００、３００、４００同様の方法で動作することができる。従って、オリジナル装置５０２に現在格納され、或いは、オリジナル装置５０２が利用可能なコンテンツに少なくとも部分的に基づいて、並びに、コンテンツ権利データベース５２８に格納されたコンテンツ及び関連する権利５３０及び５３２に少なくとも部分的に基づいて、ユーザ５３４は、第１の無線デスティネーション装置５０４、第２の無線デスティネーション装置５０６、又はこれらの組み合わせ上でコンテンツにアクセスするライセンスを取得することができる。
【０１０６】
ここから図６を参照すると、一態様に従って、コンテンツライセンスを取得する方法が示されている。ブロック６０２で開始して、オリジナル装置は、例えばその上に存在するデジタルコンテンツを見つけるためにその内部のプロセッサによって、スキャンされることができる。ブロック６０４では、オリジナル装置は、オリジナル装置、デスティネーション装置、又はこれらの組み合わせ上でデジタルコンテンツを使用するために、ライセンス供与サーバにライセンスを要求することができる。さらに、ブロック６０６では、オリジナル装置は、ライセンスが要求されたデジタルコンテンツのリストを生成することができる。ブロック６０８では、オリジナル装置は、ライセンス供与サーバにデジタルコンテンツのリストを送信することができる。ブロック６１０では、オリジナル装置は、ライセンスが要求されたデジタルコンテンツに関連するメタデータのリストを生成することができる。さらに、ブロック６１２では、オリジナル装置は、ライセンス供与サーバにメタデータのリストを送信することができる。
【０１０７】
ブロック６１４に移動すると、オリジナル装置は、ライセンス供与サーバが一致するコンテンツ及び関連する権利を見つけたという通知を受信することができる。ブロック６１６では、オリジナル装置は、要求されたタイプのライセンスを送信することができる。ブロック６１８では、オリジナル装置は要求されたタイプのライセンスを受信することができる。そして、方法は状態６２０において終了する。
【０１０８】
特定の態様では、オリジナル装置に最初に見つかったデジタルコンテンツは、使用に関して許可されていてもよく、使用に関して未許可であってもよく、或いは、これらの組み合わせであってもよい。さらに、受信されたライセンスは、使用に関してこれまでは未許可であったデジタルコンテンツの使用を許可することができる。
【０１０９】
図７は、さらに他の態様に従って、コンテンツライセンスを提供する方法を示す。ブロック７０２で開始して、ライセンス供与サーバは、権利者からデジタルコンテンツを受信することができる。ブロック７０４では、ライセンス供与サーバは、権利者からデジタルコンテンツに関連する権利を受け取ることができる。さらに、ブロック７０６では、ライセンス供与サーバは、デジタルコンテンツ及び関連する権利をコンテンツ権利データベースに格納する。
【０１１０】
ブロック７０８に移動すると、ライセンス供与サーバは、オリジナル装置から、デスティネーション装置でコンテンツを使用するためのライセンスに関する要求を受信することができる。ブロック７１０では、ライセンス供与サーバは、ライセンスが要求されたオリジナル装置からコンテンツのリストを受信することができる。さらに、ブロック７１２では、ライセンス供与サーバは、一致するコンテンツを見つけるためにコンテンツ権利データベースを探索することができる。
【０１１１】
ブロック７１４に移動すると、ライセンス供与サーバは、デジタルコンテンツに関連するメタデータのリストを受信することができる。ブロック７１６では、ライセンス供与サーバは、メタデータを使用して、コンテンツ権利データベースを探索することができる。さらに、ブロック７１８では、ライセンス供与サーバは、一致するコンテンツがコンテンツ権利データベース内にあるという通知をオリジナル装置に送信することができる。
【０１１２】
ブロック７２０では、ライセンス供与サーバは、オリジナル装置から要求されたタイプのライセンスを受信することができる。ブロック７２２に続くと、ライセンス供与サーバは、デスティネーション装置にライセンス供与クライアントをダウンロードすることができる。さらに、ブロック７２４では、ライセンス供与サーバは、デスティネーション装置に、一致するデジタルコンテンツをダウンロードすることができる。ブロック７２６では、ライセンス供与サーバは、デスティネーション装置にライセンスを送信することができる。その後、ブロック７２８では、ライセンス供与サーバは、オリジナル装置にライセンスのコピーを送信することができる。そして、方法は状態７３０において終了する。
【０１１３】
図８は、一態様に従って、データネットワーク８００を示す。ネットワーク８００は、無線通信チャネル８０６を介して無線データネットワーク８０４と通信する第１の無線装置８０２を含むことができる。ネットワーク８００は、ネットワーク８０４と通信している第１の無線装置８０２及び他のエンティティにサービスを提供するように動作するサーバ８０８を含むことができる。サーバ８０８は、リンク８１０によってネットワーク８０４に結合されることができ、リンク８１０は、任意のタイプの有線又は無線リンクであってもよい。例えば、一態様では、無線装置８０２は、無線電話であり、サーバ８０８は、装置８０２にアプリケーション及び／又はマルチメディアコンテンツを提供する全国規模の遠距離通信ネットワーク（nationwide telecommunications network）の一部でありうる。第２の無線装置８１２は、同様に、ネットワーク８０４に結合されることができる。
【０１１４】
特定の態様では、サーバ８０８は、第１の無線装置８０２に、第２の無線装置８１２に、又はこれらの組み合わせにライセンスデータ８１６を送信することができ、第１の無線装置８０２から、第２の無線装置８１２から、又はこれらの組み合わせからライセンスデータ８１６を受信することができる。一実施によれば、ライセンスデータ８１６は、音楽又はビデオコンテンツ８１８、コンテンツにアクセスするためのライセンス８２０、及びライセンス供与クライアント８２２を含むことができる。特定の態様では、サーバ８０８は、無線装置８０２、８０８にライセンスデータ８１６を送信し、無線装置８０２、８０８からライセンスデータ８１６を受信することができる。
【０１１５】
図８は、サーバ８０８がプロセッサ８２４と、プロセッサ８２４にとってアクセス可能であるメモリ８２６又は他のあるコンピュータ読み取り可能媒体とを含みうることを示す。さらに、データベース８２８は、サーバ８０８に結合され、或いは他の方法で接続されることができる。ライセンスデータ８１６は、データベース８２８に格納されることができる。
【０１１６】
図９は、無線データネットワークを通じて、１以上の無線装置にストリーミングコンテンツを配信するように動作可能なサーバ９００の一態様を示す機能ブロック図を示す。図９に示されるように、サーバ９００は、内部データバス９０４に結合されている処理ロジック（processing logic）９０２を含むことができる。さらに、メモリ９０６、ユーザインタフェース９０８及びネットワークインタフェース９１０は、内部データバス９０４に結合されている。サーバ９００は、処理ロジック９０２にとってアクセス可能であるライセンス供与クライアント９１２、及び内部バス９０４に結合されたアプリケーションメモリ９０６をさらに含むことができる。サーバ９００は、内部データバス９０４に結合されたライセンス供与サービス９１４をさらに含むことができる。ライセンス供与サービス９１４は、処理ロジック９０２によって実行されることができるメモリに格納されたアプリケーションでありうる。ライセンス供与サービス９１４及び処理ロジック９０２は、ここに説明された方法ステップの１以上を実行するように動作可能でありうる。方法ステップの１以上は、例えばメモリ９０６に、命令として格納されることができる。ライセンス供与サービス９１４は、１以上のユーザ又はユーザ装置に関連するメタデータ９１６を含むことができる。さらに、ライセンス供与サービス９１４は、コンテンツ／権利９１８を含むことができる。ライセンス供与サービス９１４は、コンテンツ及びこのコンテンツに関連する権利を見つけるために、並びに、無線装置でコンテンツを使用する１又は複数のライセンスを与えるために、メタデータ９１６を使用することができる。
【０１１７】
１以上の態様では、処理ロジック９０２は、ＣＰＵ、ゲートアレイ（gate array）、ハードウェアロジック（hardware logic）、ソフトウェア、又はハードウェアとソフトウェアとの組み合わせを含む。従って、処理ロジック９０２は、一般に機械読み取り可能命令を実行するためのロジックを含むことができる。言い換えると、処理ロジック９０２は、ここに開示された方法ステップを含む１以上のコンピュータプログラムを実行する手段としての機能を果たすことができる。
【０１１８】
メモリ９０６は、ランダムアクセスメモリ（ＲＡＭ）、リードオンリーメモリ（ＲＯＭ）、フラッシュメモリ、電気的に消去可能なリードオンリーメモリ（ＥＥＲＯＭ）、他の適切なタイプのメモリ、又はこれらの組み合わせを含むことができる。一態様では、メモリ９０６は、サーバ９００に内部に設置される。他の態様では、メモリ９０６は、サーバ９００に選択的に取り付けられて、その結果内部バス９０４に結合されることになるリムーバブルメモリカード又はメモリ装置を含む。従って、メモリ９０６は、処理ロジック９０２によって実行されることができる命令を格納することができる任意のタイプのメモリを実質的に含むことができる。
【０１１９】
ユーザインタフェース９０８は、例えば、キーパッドから、ポインティングデバイスから、タッチパッドから、又はユーザが無線装置と相互作用することを可能にする他の入力機構から、ユーザ入力９２０を受け取ることができる。ユーザインタフェース９０８は、ディスプレイ装置、例えば、陰極線管（ＣＲＴ）ディスプレイ、液晶ディスプレイ（ＬＣＤ）、発光ダイオード（ＬＥＤ）又はユーザに画像表示（visual display）を提供する他のタイプのディスプレイ装置等に結合されることができる。他のタイプの入力又は出力装置は、ユーザインタフェース９０８、例えば、ディスク記憶装置、オーディオロジック、ビデオ装置等に結合されることができる。
【０１２０】
ネットワークインタフェース９１０は、通信リンク９２２を使用して、サーバ９００と外部装置、システム及び／又はネットワークとの間で情報を送受信するように動作する。例えば、一態様では、ネットワークインタフェース９１０は、通信リンク９２２を使用して、無線データネットワークを通じて情報を送受信するように動作する無線トランシーバ回路（図示せず）を含む。例えば、通信リンク９２２は、図１に示される通信リンク１０６でありうる。例えば、トランシーバは、処理ロジック９０２から受信した情報を変調し、変調した情報を、無線伝送に適している高周波信号に変換する回路を含む。同様に、トランシーバは、受信された高周波通信信号を、処理ロジック９０２による復調及び後の処理に適している信号に変換するために回路をさらに含む。
【０１２１】
他の態様では、ネットワークインタフェース９１０は、インターネットのようなパブリックデータネットワーク上のリモートシステムと通信するために、加入電話回線又は他のタイプのデータ線のようなハードワイヤードの（hardwired）通信リンクを通じて、情報を送受信するように動作するトランシーバを含む。
【０１２２】
さらに他の態様では、ネットワークインタフェース９１０は、ローカルのワークステーションのようなローカル装置と通信するように動作する回路を含む。ネットワークインタフェース９１０は、プリンタ、或いは、他のローカルコンピュータ、或いは、フロッピー（登録商標）ディスク又はメモリーカードのような装置と通信するための（シリアル又はパラレルポートロジックのような）回路をさらに含むことができる。従って、ネットワークインタフェース９１０は、サーバ９００が他のローカル装置又はシステム、或いは、他の遠隔に位置された装置又はシステムと通信することを可能にするために、任意のタイプのハードウェア、ソフトウェア、又はこれらの組み合わせを含むことができる。
【０１２３】
サーバ９００の動作中に、処理ロジック９０２は、ここで説明された機能を実行するために、メモリ９０６に格納されたプログラム命令を実行することができる。例えば、一態様では、処理ロジック９０２がメモリ９０６に格納されたプログラム命令を実行する場合、サーバ９００は、説明された機能を実行することができる。他の態様では、プログラム命令は、コンピュータ読み取り可能媒体、例えば、フロッピーディスク、コンパクトディスク（ＣＤ）、メモリーカード、フラッシュメモリ装置、ＲＯＭ又は他のタイプのメモリ装置等に格納される。プログラム命令は、ネットワークインタフェース９１０を介して、メモリ９０６にロードされてもよい。例えば、サーバ９００は、ネットワークインタフェース９１０を介して、コンピュータ読み取り可能媒体からメモリ９０６内へプログラム命令をダウンロードすることができる。
【０１２４】
図１０を参照すると、無線電話の典型的な限定されない態様は、示され、通常は１０２０と指定される。図示されるように、無線装置１０２０は、連結されたデジタル信号プロセッサ１０２４及びアナログ信号プロセッサ１０２６を含むオンチップシステム（on-chip system）１０２２を含む。図１０に示されるように、ディスプレイコントローラ（display controller）１０２８及びタッチスクリーンコントローラ（touchscreen controller）１０３０は、デジタル信号プロセッサ１０２４に結合されている。同様に、オンチップシステム１０２２の外部のタッチスクリーンディスプレイ１０３２は、ディスプレイコントローラ１０２８及びタッチスクリーンコントローラ１０３０に結合されている。
【０１２５】
図１０は、ビデオエンコーダ１０３４、例えばフェイズオルタネイティングライン（ＰＡＬ：phase alternating line）エンコーダ、セカム方式（ＳＥＣＡＭ：sequential couleur a memoire）エンコーダ、全米テレビジョン放送方式標準化委員会（ＮＴＳＣ：national television system(s) committee）エンコーダがデジタル信号プロセッサ１０２４に結合されることをさらに示す。さらに、ビデオ増幅器１０３６は、ビデオエンコーダ１０３４及びタッチスクリーンディスプレイ１０３２に結合される。さらに、ビデオポート１０３８は、同様に、ビデオ増幅器１０３６に結合される。図１０に示されるように、ユニバーサルシリアルバス（ＵＳＢ：universal serial bus）コントローラ１０４０は、デジタル信号プロセッサ１０２４に結合される。さらに、ＵＳＢポート１０４２は、ＵＳＢコントローラ１０４０に結合される。メモリ１０４４及び加入者識別モジュール（ＳＩＭ：subscriber identity module）カード１０４６は、同様に、デジタル信号プロセッサ１０２４に結合されることができる。さらに、図１０に示されるように、デジタルカメラ１０４８は、デジタル信号プロセッサ１０２４に結合されることができる。典型的な態様では、デジタルカメラ１０４８は、電荷結合素子（ＣＣＤ）カメラ又は相補型金属酸化膜半導体（ＣＭＯＳ）カメラである。
【０１２６】
さらに図１０に示されるように、ステレオオーディオＣＯＤＥＣ１０５０は、アナログ信号プロセッサ１０２６に結合されることができる。さらに、オーディオ増幅器１０５２は、ステレオオーディオＣＯＤＥＣ１０５０に結合されることができる。典型的な態様では、第１ステレオスピーカ１０５４及び第２ステレオスピーカ１０５６は、オーディオ増幅器１０５２に結合される。図１０は、マイクロホン増幅器１０５８が同様にステレオオーディオＣＯＤＥＣ１０５０に結合されることができることを示す。さらに、マイクロホン１０６０は、マイクロホン増幅器１０５８に結合されることができる。特定の態様では、周波数変調（ＦＭ）ラジオチューナ１０６２は、ステレオオーディオＣＯＤＥＣ１０５０に結合されることができる。さらに、ＦＭアンテナ１０６４は、ＦＭラジオチューナ１０６２に結合される。さらに、ステレオヘッドホン１０６６は、ステレオオーディオＣＯＤＥＣ１０５０に結合されることができる。
【０１２７】
図１０は、無線周波数（ＲＦ）トランシーバ１０６８がアナログ信号プロセッサ１０２６に結合されることができることをさらに示す。ＲＦスイッチ１０７０は、ＲＦトランシーバ１０６８及びＲＦアンテナ１０７２に結合されることができる。図１０に示されるように、キーパッド１０７４は、アナログ信号プロセッサ１０２６に結合されることができる。さらに、マイクロホン１０７６を備えたモノラルヘッドセット（mono headset）は、アナログ信号プロセッサ１０２６に結合されることができる。さらに、バイブレータ装置１０７８は、アナログ信号プロセッサ１０２６に結合されることができる。図１０は、電源１０８０がオンチップシステム１０２２に結合されることができることをさらに示す。特定の態様では、電源１０８０は、電力を要求する無線装置１０２０の種々のコンポーネントに対して電力を供給する直流（ＤＣ）電源である。さらに、特定の態様では、電源は、交流（ＡＣ）から、ＡＣ電源に接続されるＤＣ変換器に導かれるＤＣ電源又は充電可能なＤＣバッテリである。
【０１２８】
図１０は、無線装置１０２０がライセンス供与クライアント１０８２、例えば図１から図５に関連して上述されたライセンス供与クライアントをさらに含むことができることをさらに示す。無線装置１０２０は、デジタルコンテンツ１０８４、及びこのデジタルコンテンツ１０８４にアクセスするためのライセンス１０８６をさらに含むことができる。ライセンス供与クライアント１０８４は、特定のデジタルコンテンツ１０８４に関連するメタデータ１０８６を得るように動作可能であることができる。ライセンス供与クライアント１０８４は、ライセンス供与サーバにメタデータ１０８６を送信し、かつ、ライセンス供与サーバからライセンス１０８６を受信するようにさらに動作可能であることができる。
【０１２９】
図１０に示されるように、タッチスクリーンディスプレイ１０３２、ビデオポート１０３８、ＵＳＢポート１０４２、カメラ１０４８、第１ステレオスピーカ１０５４、第２ステレオスピーカ１０５６、マイクロホン１０６０、ＦＭアンテナ１０６４、ステレオヘッドホン１０６６、ＲＦスイッチ１０７０、ＲＦアンテナ１０７２、キーパッド１０７４、モノラルヘッドセット１０７６、バイブレータ１０７８及び電源１０８０は、オンチップシステム１０２２の外部にある。
【０１３０】
特定の態様では、ここに説明された方法ステップの１以上は、コンピュータプログラム命令としてメモリ１０４４に格納されることができる。これらの命令は、ここに説明された方法を実行するために、プロセッサ１０２４、１０２６によって実行されてもよい。さらに、プロセッサ１０２４、１０２６、メモリ１０４４、それに格納された命令、又はこれらの組み合わせは、ここに説明された方法ステップの１以上を実行するための手段としての機能を果たすことができる。
【０１３１】
ここに説明される方法ステップが説明された順序に実行される必要があるわけではないことは、理解されるべきである。さらに、「その後（thereafter）」「続いて（then）」、「次に（next）」等の単語は、ステップの順序を限定するように意図するものではない。これらの単語は、方法ステップの記述を通して読み手（reader）をガイドするために単に使用される。
【０１３２】
ここに説明されたシステムにおいて、装置及びサーバがメモリ及びプロセッサを含むコンピュータプラットフォームを持つ任意の装置、ただしこれに限定されないが、を含むことができることは、理解されるべきである。メモリ、即ち、コンピュータ読み取り可能媒体は、ライセンスを要求するために、ライセンスを与えるために、又はこれらの組み合わせのために、ここに説明された種々のステップを実行するために実行されるアプリケーションを格納する手段としての機能を果たすことができる。さらに、プロセッサは、このようなアプリケーションを実行する手段としての機能を果たすことができる。
【０１３３】
オリジナル装置は、例えば、任意のタイプの有線又は無線装置（例えば、携帯電話、パーソナルデジタルアシスタント（ＰＤＡ）、ラップトップコンピュータ、パーソナルゲーム機、双方向ページャ、携帯型音楽装置等）を含むことができる。さらに、ライセンス供与サーバは、任意のタイプの有線又は無線装置（例えば、ラップトップコンピュータ、デスクトップコンピュータ等）を含むことができる。デスティネーション装置は、任意のタイプの有線又は無線装置（例えば、セルラ電話、パーソナルデジタルアシスタント（ＰＤＡ）、ラップトップコンピュータ、パーソナルゲーム機、双方向ページャ、携帯型音楽装置等）を含むことができる。さらに、モバイルコンピュータシステムが任意の可搬型のコンピュータシステム（例えば、ラップトップ、ハンドトップ（handtop）、パームトップ（palmtop）、携帯電話等）でありうることは、認識されるべきである。
【０１３４】
オリジナル装置（originating device）が単に１つの態様を示こと、及び他の装置構成がここに説明された機能を提供することができることは、さらに認識されるだろう。例えば、オリジナル装置の機能要素が、ここに開示及び説明された範囲内で、組み合わされ、再配置され、変形され、追加され、或いは削除されることが可能である。ライセンス供与サーバが１以上の態様を示すこと、及び他の構成がここに説明された機能を提供することができることは、さらに注目されるべきである。例えば、ライセンス供与サーバの機能要素が、ここに開示及び説明された範囲内で、組み合わされ、再配置され、変形され、追加され、或いは削除されることが可能である。デスティネーション装置が１つの態様を示すこと、及び他の装置構成がここに説明された機能を提供することができることは、さらに注目されるべきである。例えば、デスティネーション装置の機能要素がここに開示及び説明された範囲内で、組み合わされ、再配置され、変形され、追加され、或いは削除されることが可能である。
【０１３５】
当業者は、コンテンツライセンス供与システム及び関連の処理に関連する機能性を提供することができる特定のコンポーネントを強調するように、単純化された方法で、装置及びサーバが描かれることを、認識するにはずである。所定の装置が、他の機能性とともに、装置に関して描かれた機能性、サーバに関して描かれた機能性、又はこれらのいくつかの組み合わせを組み込むことができることは、認識されるべきである。
【０１３６】
この説明のために、上述した情報を送信するエンティティは、それが信用できるソースからの受信情報ことを任意の受信装置が確認することができるように、任意のタイプの周知の証明書（credentialing）又は認証技術を使用して、適切に証明書を提出される（credentialed）と仮定している。
【０１３７】
１以上の態様では、コンテンツライセンス供与システムは、プロセス中にセキュリティ及び／又はプライバシーを提供するために、１以上のセキュリティ技術を利用することができる。例えば、一態様では、ライセンス供与サーバは、ユーザの要求を処理する前にユーザに秘密のセキュリティコードを要求することができる。セキュリティコードは、ユーザの識別情報（identity）、ＰＩＮ番号、又は他のタイプのセキュリティ情報を含むことができ、その結果、ユーザのセキュリティ及びプライバシーが保持されることができる。
【０１３８】
上述したように、装置及びサーバは、メモリ及びプロセッサを含むコンピュータプラットフォームを含む装置、ただしこれに限定されない、を含む。コンピュータプラットフォームは、ネットワークを介してデータを送信又は受信するように動作可能であるか、或いはルーチン及び／又はアプリケーションを実行することができる。コンピュータプラットフォームは、任意のネットワーク装置から、或いは、ネットワークに接続されるか、又は装置及びサーバに接続された他のコンピュータ装置から送信されたデータを随意的に表示するように動作可能であることができる。例えば、コンピュータプラットフォームは、ハードウェア、ファームウェア、ソフトウェア、データ、実行可能命令、及びこれらの組み合わせにより具体化されることができる。
【０１３９】
コンピュータプラットフォームは、メモリを含むことができ、メモリは、揮発性及び不揮発性メモリを含むことができる。さらに、プロセッサは、ハードウェア、ファームウェア、ソフトウェア、データ、実行可能命令、及びこれらの組み合わせにより具体化された各種処理サブシステムを含むことができ、これら各種処理サブシステムは、ネットワーク上で、装置及びサーバの機能性、並びに、装置及びサーバの操作性を可能にする。ここに説明された方法ステップの１以上は、コンピュータ読み取り可能媒体、即ち、メモリに格納された命令であることができる。プロセッサは、ここに説明された方法ステップを実行するために、命令を実行することができる。従って、プロセッサ、メモリ、命令、又はこれらの組み合わせは、ここに説明された１以上の方法ステップを実行する手段としての機能を果たすことができる。
【０１４０】
当業者は、コンテンツライセンス供与システムの構成がコンテンツライセンス供与システムの異なる態様を実施するのに適している典型的な構成であることを、認識するべきである。そのため、本出願の範囲内で、他の機能要素又は要素構成を使用して、コンテンツライセンス供与システムを実施することもできる。
【０１４１】
図１から図５に示されたサーバ構成及び装置構成が単にいくつかの態様を示すこと、及び他のサーバ構成及び／又は装置構成がここに説明された機能を提供することができることに注目すべきである。例えば、サーバ及び／又は装置の機能要素が、説明した範囲内で、組み合わされ、再配置され、変形され、追加され、削除されることができる。ここに説明された１以上の動作が、所与の実施で使用されなくてもよいことは、さらに認識されるべきである。
【０１４２】
当業者は、ここに開示された態様に関連して説明された種々の実例となる論理ブロック、モジュール、プロセッサ、手段、回路、及びアルゴリズムステップが、電子ハードウェア（例えば、ソースコーディング又は他の技術を使用して設計されることができるデジタル実施（digital implementation）、アナログ実施（analog implementation）又はこれら２つの組み合わせ）、命令を組み込む種々の形態のプログラム又はデザインコード（ここで便宜上「ソフトウェア」又は「ソフトウェアモジュール」と呼ばれる）又はこれら両方の組み合わせとして実施されることができることを、さらに認識すべきである。ハードウェアとソフトウェアとのこの互換性を明確に示すために、種々の実例となるコンポーネント、ブロック、モジュール、回路及びステップは、それらの機能性に関して上記のように一般的に説明されている。そのような機能性がハードウェア又はソフトウェアとして実施されるか否かは、全体的なシステムに課される特定の用途及び設計制約に依存する。当業者は、特定の用途毎に方法を変更するときには、説明された機能性を実施することができるが、そのような実施の決定は、本開示の範囲からの逸脱を引き起こすと解釈されるべきではない。
【０１４３】
当業者は、有線及び／又は無線接続がデータネットワーク及び通信ネットワークの１又はいくらかの組み合わせのようなネットワークをさらに含むことができることを、さらに認識するはずである。いくつかの態様では、例えば、ネットワークは、カリフォルニア州サンディエゴにあるクゥアルコム社（Qualcomm Incorporated）から利用可能なＭｅｄｉａＦＬＯ（登録商標）システムを含むフォワードリンクオンリ（ＦＬＯ：Forward Link Only）のようなマルチキャストネットワークの全て又はある部分を含むことができる。
【０１４４】
一態様では、ネットワークは、次のような他のネットワークのうちの１つ、又は、次のような他のネットワークの組み合わせを含むことができる。このような他のネットワークとしては、例えば、衛星用ＤＶＢ−Ｓ、ケーブル用ＤＶＢ−Ｃ、地上波用ＤＶＢ−Ｔ、ハンドヘルド（handheld）向けの地上波用ＤＶＢ−Ｈのようなデジタルビデオ放送（ＤＶＢ： digital video broadcasting）ネットワーク、地上電話ネットワーク、衛星電話ネットワーク、赤外線通信協会（ＩｒＤＡ：Infrared Data Association）に基づくネットワーク等の赤外線ネットワーク、短距離無線ネットワーク、Ｂｌｕｅｔｏｏｔｈ（登録商標）技術ネットワーク、ジグビー（ZigBee（登録商標））プロトコルネットワーク、ウルトラワイドバンド（ＵＷＢ：ultra wide band）プロトコルネットワーク、ホーム無線周波数（ＨｏｍｅＲＦ：home radio frequency）ネットワーク、共有無線接続プロトコル（ＳＷＡＰ：shared wireless access protocol）ネットワーク、無線イーサネット（登録商標）互換性アライアンス（ＷＥＣＡ）、ワイヤレスフィディリティアライアンス（Ｗｉ−Ｆｉ  Ａｌｌｉａｎｃｅ）及び８０２．ｘｘネットワーク等の広帯域ネットワーク、公衆交換回線網（public switched telephone network）、インターネット等のパブリック異種通信ネットワーク（public heterogeneous communications network）、プライベート通信ネットワーク、及び陸上モバイル無線ネットワーク（land mobile radio network）がある。
【０１４５】
さらに、ネットワークのいくつかの態様に含まれることができる電話ネットワークの例は、次のようなアナログ及びデジタルネットワーク／技術のうちの１つ、又は次のようなアナログ及びデジタルネットワーク／技術の組み合わせを含む。このようなアナログ及びデジタルネットワーク／技術としては、例えば、符号分割多元接続（ＣＤＭＡ）、広帯域符号分割多元接続（ＷＣＤＭＡ）、ユニバーサル移動体通信システム（ＵＭＴＳ：universal mobile telecommunications system）、アドバンストモバイルホンサービス（ＡＭＰＳ：advanced mobile phone service）、時分割多元接続（ＴＤＭＡ）、周波数分割多元接続（ＦＤＭＡ）、直交周波数分割多元接続（ＯＦＤＭＡ）、グローバルシステムフォーモバイルコミュニケーションズ（ＧＳＭ（登録商標）：global system for mobile communications）、シングルキャリア（１Ｘ）無線伝送技術（ＲＴＴ：）、エボリューションデータオンリー（ＥＶ−ＤＯ：evolution data only）技術、汎用パケット無線サービス（ＧＰＲＳ：general packet radio service）、エンハンストデータＧＳＭ環境（ＥＤＧＥ：enhanced data GSM environment）、高速ダウンリンクデータパケットアクセス（ＨＳＰＤＡ：high speed downlink data packet access）、アナログ及びデジタル衛星システム、並びに、通信ネットワーク及びデータネットワークの少なくとも１つに使用されることができる他の技術／プロトコルがある。
【０１４６】
さらに、コンピュータプラットフォームは、ハードウェア、ファームウェア、ソフトウェア、データ、実行可能命令、及びこれらの組み合わせにより具体化されることができる。
【０１４７】
デスティネーション装置が典型的なセルラ電話として規定される一態様では、プロセッサは、次のような通信用の処理サブシステムをさらに含むことができる。このような通信用の処理サブシステムとしては、例えば、音、不揮発性メモリ、ファイルシステム、送信、受信、サーチャー（searcher）、レイヤー１、レイヤー２、レイヤー３、メインコントロール、遠隔手続き（remote procedure）、ハンドセット、パワーマネジメント、デジタル信号プロセッサ、メッセージング、コールマネージャ（call manager）、Ｂｌｕｅｔｏｏｔｈ（登録商標）システム、Ｂｌｕｅｔｏｏｔｈ（登録商標）ＬＰＯＳ、位置エンジン（position engine）、ユーザインタフェース、スリープ（sleep）、データサービス、セキュリティ、認証、ＵＳＩＭ／ＳＩＭ、音声サービス、ボコーダ、メッセージング、グラフィックス、ＵＳＢ、マルチメディア等がある。開示された態様において、プロセッサの処理サブシステムは、ここに説明された機能性を有効にするコンピュータプラットフォームで実行するアプリケーションと相互作用するいかなるサブシステムコンポーネントを含むことができる。
【０１４８】
さらに、装置及びサーバは、装置への入力を生成するための１以上の入力機構を有することができ、装置のユーザによる消費のための情報を生成するための１以上の出力機構をさらに有することができる。例えば、入力機構は、キー又はキーボード、ナビゲーション機構、マウス、タッチスクリーンディスプレイ、音声認識モジュールと関連するマイクロホン等の装置を含むことができる。特定の態様では、入力機構は、ユーザ入力に対して、無線装置上のアプリケーション又はモジュールを作動させる（activate）こと、或いは、無線装置上のアプリケーション又はモジュールと相互作用することを提供する。さらに、例えば、出力機構は、ＵＩを表示するように動作可能なディスプレイ、オーディオスピーカ、触覚型フィードバック機構（haptic feedback mechanism）等を含むことができる。
【０１４９】
ここに開示された態様に関して説明された種々の実例となるロジック、論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ：field programmable gate array）又は他のプログム可能論理装置（programmable logic device）、ディスクリートゲート又はトランジスタロジック（discrete gate or transistor logic）、別個のハードウェアコンポーネント、又はここに説明された機能を実行するように設計されたこれらの任意の組み合わせで実現又は実行されることができる。汎用プロセッサは、マイクロプロセッサでありうるが、代替として、このプロセッサは、任意の従来のプロセッサ、コントローラ、マイクロコントローラ又は状態機械であってもよい。プロセッサは、コンピュータ装置の組み合わせとして、例えば、ＤＳＰとマイクロプロセッサとの組み合わせ、複数のマイクロプロセッサ、ＤＳＰコアと連動する１以上のマイクロプロセッサ、或いは他のそのような構成として実現されることができる。さらに、少なくとも１つのプロセッサは、上述したステップ及び／又は動作のうちの１以上を実行するように動作可能な１以上のモジュールを含むことができる。
【０１５０】
さらに、１以上の典型的な態様では、説明された機能は、ハードウェア、ソフトウェア、ファームウェア、又はこれらの任意の組み合わせにより実現されることができる。ソフトウェアにより実現される場合、説明された機能は、コンピュータ読み取り可能媒体に１以上の命令又はコードとして格納され、或いは、コンピュータ読み取り可能媒体に１以上の命令又はコードとして送信されることができる。コンピュータ読み取り可能媒体は、ある場所から他の場所へのコンピュータプログラムの転送を容易にするあらゆる媒体を含む通信媒体及びコンピュータストレージ媒体の両方を含む。記録媒体は、コンピュータによってアクセスされることができるいかなる利用可能な媒体であってもよい。限定ではなく例として、そのようなコンピュータ読み取り可能媒体は、ＲＡＭ、ＲＯＭ、ＥＥＰＲＯＭ（登録商標）、ＣＤ−ＲＯＭ又は他の光ディスク記憶装置、磁気ディスク記憶装置又は他の磁気記憶装置、或いは、命令又はデータ構造の形態で希望のプログラムコードを運ぶためか、格納するために使用されることができ、かつ、コンピュータによってアクセスされることができるいかなる他の媒体を、含むことができる。さらに、どんな接続もコンピュータ読み取り可能媒体と適切に呼ばれる。例えば、同軸ケーブル、光ファイバーケーブル、ツイストペア、デジタル加入者線（ＤＳＬ）、或いは、赤外線、無線及びマイクロ波等の無線技術を使用して、ソフトウェアがウェブサイト、サーバ又は他の遠隔ソースから送信される場合、同軸ケーブル、光ファイバーケーブル、ツイストペア、ＤＳＬ、或いは、赤外線、ラジオ及びマイクロ波等の無線技術は、媒体の定義に含まれる。ここで使用されるようなディスク（disk）及びディスク（disc）は、コンパクトディスク（ＣＤ）、レーザーディスク（登録商標）、光ディスク、デジタル多用途ディスク（ＤＶＤ）、フロッピーディスク及びブルーレイディスクを含み、ここで、ディスク（disk）は、通常はデータを磁気によって再生するのに対して、ディスク（disc）は、レーザを用いてデータを光学的に再生する。上記のものの組み合わせも、コンピュータ読み取り可能媒体の範囲内に含まれるべきである。
【０１５１】
上述の開示が実例となる態様を示しているが、添付の特許請求の範囲によって規定されるように、説明された態様の範囲を逸脱することなく、ここで種々の変形及び修正がなされてもよいことは、注目されるべきである。さらに、説明された態様の要素が単数形で説明され、クレームされているが、単数に対する制限が明示的に記載されていなければ、複数が考慮される。さらに、他の方法で記載されていなければ、任意の態様の全て又は一部は、任意の他の態様の全て又は一部とともに利用されてもよい。
なお、出願当初の請求項を以下に付記する。
（１）コンテンツを使用するための１以上のライセンスを取得する方法であって、オリジナル装置上に存在するデジタルコンテンツを見つけるために、当該オリジナル装置をスキャンすることと、前記オリジナル装置上で、デスティネーション装置上で、又はこれらの組み合わせ上で前記デジタルコンテンツを使用するためのライセンスを、ライセンス供与サーバに要求することと、を具備する方法。
（２）前記ライセンスが要求されたデジタルコンテンツのリストを生成することと、前記ライセンス供与サーバにデジタルコンテンツの前記リストを送信することと、をさらに具備する（１）の方法。
（３）前記ライセンスが要求された前記デジタルコンテンツに関連するメタデータのリストを生成することと、前記ライセンス供与サーバにメタデータのリストを送信することと、をさらに具備する（１）の方法。
（４）前記ライセンス供与サーバが、一致するコンテンツ及び関連する権利を見つけたという通知を受信することをさらに具備する（１）の方法。
（５）要求されたタイプのライセンスを送信することと、前記要求されたタイプのライセンスを受信することと、をさらに具備する（４）の方法。
（６）前記デジタルコンテンツは、使用に関して許可されているか、使用に関して未許可であるか、或いはこれらの組み合わせである（１）の方法。
（７）前記ライセンスは、使用に関してこれまでは未許可であるデジタルコンテンツの使用を許可する（６）の方法。
（８）コンテンツにアクセスするための装置であって、オリジナル装置上に存在するデジタルコンテンツを見つけるために、当該オリジナル装置をスキャンする手段と、前記オリジナル装置上で、デスティネーション装置上で、又はこれらの組み合わせ上で前記デジタルコンテンツを使用するためのライセンスを、ライセンス供与サーバに要求する手段と、を具備する装置。
（９）前記ライセンスが要求されたデジタルコンテンツのリストを生成する手段と、前記ライセンス供与サーバにデジタルコンテンツの前記リストを送信する手段と、をさらに具備する（８）の装置。
（１０）前記ライセンスが要求された前記デジタルコンテンツに関連するメタデータのリストを生成する手段と、前記ライセンス供与サーバにメタデータのリストを送信する手段と、をさらに具備する（８）の装置。
（１１）前記ライセンス供与サーバが、一致するコンテンツ及び関連する権利を見つけたという通知を受信する手段をさらに具備する（８）の装置。
（１２）要求されたタイプのライセンスを送信する手段と、前記要求されたタイプのライセンスを受信する手段と、をさらに具備する（１１）の装置。
（１３）前記デジタルコンテンツは、使用に関して許可されているか、使用に関して未許可であるか、或いはこれらの組み合わせである（８）の装置。
（１４）前記ライセンスは、使用に関してこれまでは未許可であるデジタルコンテンツの使用を許可する（１３）の装置。
（１５）コンテンツにアクセスするための装置であって、プロセッサと、前記プロセッサにとってアクセス可能なメモリであって、オリジナル装置上に存在するデジタルコンテンツを見つけるために、当該オリジナル装置をスキャンする少なくとも１つの命令と、前記オリジナル装置上で、デスティネーション装置上で、又はこれらの組み合わせ上で前記デジタルコンテンツを使用するためのライセンスを、ライセンス供与サーバに要求する少なくとも１つの命令と、を備えるメモリと、を具備する装置。
（１６）前記メモリは、前記ライセンスが要求されたデジタルコンテンツのリストを生成する少なくとも１つの命令と、前記ライセンス供与サーバにデジタルコンテンツの前記リストを送信する少なくとも１つの命令と、をさらに備える（１５）の装置。
（１７）前記メモリは、前記ライセンスが要求された前記デジタルコンテンツに関連するメタデータのリストを生成する少なくとも１つの命令と、前記ライセンス供与サーバにメタデータのリストを送信する少なくとも１つの命令と、をさらに備える（１５）の装置。
（１８）前記メモリは、前記ライセンス供与サーバが、一致するコンテンツ及び関連する権利を見つけたという通知を受信する少なくとも１つの命令をさらに備える（１５）の装置。
（１９）前記メモリは、要求されたタイプのライセンスを送信する少なくとも１つの命令と、前記要求されたタイプのライセンスを受信する少なくとも１つの命令と、をさらに備える（１８）の装置。
（２０）前記デジタルコンテンツは、使用に関して許可されているか、使用に関して未許可であるか、或いはこれらの組み合わせである（１５）の装置。
（２１）前記ライセンスは、使用に関してこれまでは未許可であるデジタルコンテンツの使用を許可する（２０）の装置。
（２２）コンピュータに、オリジナル装置上に存在するデジタルコンテンツを見つけるために、当該オリジナル装置をスキャンさせる少なくとも１つの命令と、コンピュータに、前記オリジナル装置上で、デスティネーション装置上で、又はこれらの組み合わせ上で前記デジタルコンテンツを使用するためのライセンスを、ライセンス供与サーバに要求させる少なくとも１つの命令と、を備えたコンピュータ読み取り可能媒体を具備するコンピュータプログラムプロダクト。
（２３）前記コンピュータ読み取り可能媒体は、コンピュータに、前記ライセンスが要求されたデジタルコンテンツのリストを生成させる少なくとも１つの命令と、コンピュータに、前記ライセンス供与サーバにデジタルコンテンツの前記リストを送信させる少なくとも１つの命令と、をさらに備える（２２）のコンピュータプログラムプロダクト。
（２４）前記コンピュータ読み取り可能媒体は、コンピュータに、前記ライセンスが要求された前記デジタルコンテンツに関連するメタデータのリストを生成させる少なくとも１つの命令と、コンピュータに、前記ライセンス供与サーバにメタデータのリストを送信させる少なくとも１つの命令と、をさらに備える（２２）のコンピュータプログラムプロダクト。
（２５）前記コンピュータ読み取り可能媒体は、コンピュータに、前記ライセンス供与サーバが、一致するコンテンツ及び関連する権利を見つけたという通知を受信させる少なくとも１つの命令をさらに備える（２２）のコンピュータプログラムプロダクト。
（２６）前記コンピュータ読み取り可能媒体は、コンピュータに、要求されたタイプのライセンスを送信させる少なくとも１つの命令と、コンピュータに、前記要求されたタイプのライセンスを受信させる少なくとも１つの命令と、をさらに備える（２５）のコンピュータプログラムプロダクト。
（２７）前記デジタルコンテンツは、使用に関して許可されているか、使用に関して未許可であるか、或いはこれらの組み合わせである（２２）のコンピュータプログラムプロダクト。
（２８）前記ライセンスは、使用に関してこれまでは未許可であるデジタルコンテンツの使用を許可する（２７）のコンピュータプログラムプロダクト。
（２９）コンテンツライセンスを管理する方法であって、オリジナル装置から、デスティネーション装置においてコンテンツを使用するためのライセンスに関する要求を受信することと、前記オリジナル装置から、前記ライセンスが要求されたデジタルコンテンツのリストを受信することと、一致するコンテンツを見つけるために、コンテンツ権利データベースを探索することと、を具備する方法。
（３０）一致するコンテンツが前記コンテンツ権利データベース内で見つけられたという通知を、前記オリジナル装置に送信することをさらに具備する（２９）の方法。
（３１）前記オリジナル装置から、要求されたタイプのライセンスを受信することをさらに具備する（３０）の方法。
（３２）前記デスティネーション装置にライセンス供与クライアントをダウンロードすることをさらに具備する（３１）の方法。
（３３）前記デスティネーション装置に、前記一致するデジタルコンテンツをダウンロードすることをさらに具備する（３２）の方法。
（３４）前記デスティネーション装置に前記ライセンスを送信することと、前記オリジナル装置に前記ライセンスのコピーを送信することと、をさらに具備する（３３）の方法。
（３５）デジタルコンテンツに関連するメタデータのリストを受信することと、前記メタデータを使用して、前記コンテンツ権利データベースを探索することと、をさらに具備する（２９）の方法。
（３６）権利者からデジタルコンテンツを受信することと、前記権利者から前記デジタルコンテンツに関連する権利を受信することと、前記デジタル権利データベースに、前記デジタルコンテンツ及び関連する権利を格納することと、をさらに具備する（２９）の方法。
（３７）オリジナル装置から、デスティネーション装置においてコンテンツを使用するためのライセンスに関する要求を受信する手段と、前記オリジナル装置から、前記ライセンスが要求されたデジタルコンテンツのリストを受信する手段と、一致するコンテンツを見つけるために、コンテンツ権利データベースを探索する手段と、を具備するライセンス供与サーバ。
（３８）一致するコンテンツが前記コンテンツ権利データベース内で見つけられたという通知を、前記オリジナル装置に送信する手段をさらに具備する（３７）のライセンス供与サーバ。
（３９）前記オリジナル装置から、要求されたタイプのライセンスを受信する手段をさらに具備する（３８）のライセンス供与サーバ。
（４０）前記デスティネーション装置にライセンス供与クライアントをダウンロードする手段をさらに具備する（３９）のライセンス供与サーバ。
（４１）前記デスティネーション装置に、前記一致するデジタルコンテンツをダウンロードする手段をさらに具備する（４０）のライセンス供与サーバ。
（４２）前記デスティネーション装置に前記ライセンスを送信する手段と、前記オリジナル装置に前記ライセンスのコピーを送信する手段と、をさらに具備する（４１）のライセンス供与サーバ。
（４３）デジタルコンテンツに関連するメタデータのリストを受信する手段と、前記メタデータを使用して、前記コンテンツ権利データベースを探索する手段と、をさらに具備する（３７）のライセンス供与サーバ。
（４４）権利者からデジタルコンテンツを受信する手段と、前記権利者から前記デジタルコンテンツに関連する権利を受信する手段と、前記デジタル権利データベースに、前記デジタルコンテンツ及び関連する権利を格納する手段と、をさらに具備する（３７）のライセンス供与サーバ。
（４５）プロセッサと、前記プロセッサにとってアクセス可能なメモリであって、オリジナル装置から、デスティネーション装置においてコンテンツを使用するためのライセンスに関する要求を受信する少なくとも１つの命令と、前記オリジナル装置から、前記ライセンスが要求されたデジタルコンテンツのリストを受信する少なくとも１つの命令と、一致するコンテンツを見つけるために、コンテンツ権利データベースを探索する少なくとも１つの命令と、を備えるメモリと、を具備するライセンス供与サーバ。
（４６）前記メモリは、一致するコンテンツが前記コンテンツ権利データベース内で見つけられたという通知を、前記オリジナル装置に送信する少なくとも１つの命令をさらに備える（４５）のライセンス供与サーバ。
（４７）前記メモリは、前記オリジナル装置から、要求されたタイプのライセンスを受信する少なくとも１つの命令をさらに備える（４６）のライセンス供与サーバ。
（４８）前記メモリは、前記デスティネーション装置にライセンス供与クライアントをダウンロードする少なくとも１つの命令をさらに備える（４７）のライセンス供与サーバ。
（４９）前記メモリは、前記デスティネーション装置に、前記一致するデジタルコンテンツをダウンロードする少なくとも１つの命令をさらに備える（４８）のライセンス供与サーバ。
（５０）前記メモリは、前記デスティネーション装置に前記ライセンスを送信する少なくとも１つの命令と、前記オリジナル装置に前記ライセンスのコピーを送信する少なくとも１つの命令と、をさらに備える（４９）のライセンス供与サーバ。
（５１）前記メモリは、デジタルコンテンツに関連するメタデータのリストを受信する少なくとも１つの命令と、前記メタデータを使用して、前記コンテンツ権利データベースを探索する少なくとも１つの命令と、をさらに備える（４５）のライセンス供与サーバ。
（５２）前記メモリは、権利者からデジタルコンテンツを受信する少なくとも１つの命令と、前記権利者から前記デジタルコンテンツに関連する権利を受信する少なくとも１つの命令と、前記デジタル権利データベースに、前記デジタルコンテンツ及び関連する権利を格納する少なくとも１つの命令と、をさらに備える（４５）のライセンス供与サーバ。
（５３）コンピュータに、オリジナル装置から、デスティネーション装置においてコンテンツを使用するためのライセンスに関する要求を受信させる少なくとも１つの命令と、コンピュータに、前記オリジナル装置から、前記ライセンスが要求されたデジタルコンテンツのリストを受信させる少なくとも１つの命令と、コンピュータに、一致するコンテンツを見つけるために、コンテンツ権利データベースを探索させる少なくとも１つの命令と、を備えるコンピュータ読み取り可能媒体を具備するコンピュータプログラムプロダクト。
（５４）前記コンピュータ読み取り可能媒体は、コンピュータに、一致するコンテンツが前記コンテンツ権利データベース内で見つけられたという通知を、前記オリジナル装置に送信させる少なくとも１つの命令をさらに備える（５３）のコンピュータプログラムプロダクト。
（５５）前記コンピュータ読み取り可能媒体は、コンピュータに、前記オリジナル装置から、要求されたタイプのライセンスを受信させる少なくとも１つの命令をさらに備える（５４）のコンピュータプログラムプロダクト。
（５６）前記コンピュータ読み取り可能媒体は、コンピュータに、前記デスティネーション装置にライセンス供与クライアントをダウンロードさせる少なくとも１つの命令をさらに備える（５５）のコンピュータプログラムプロダクト。
（５７）前記コンピュータ読み取り可能媒体は、コンピュータに、前記デスティネーション装置に、前記一致するデジタルコンテンツをダウンロードさせる少なくとも１つの命令をさらに備える（５６）のコンピュータプログラムプロダクト。
（５８）前記コンピュータ読み取り可能媒体は、コンピュータに、前記デスティネーション装置に前記ライセンスを送信させる少なくとも１つの命令と、コンピュータに、前記オリジナル装置に前記ライセンスのコピーを送信させる少なくとも１つの命令と、をさらに備える（５７）のコンピュータプログラムプロダクト。
（５９）前記コンピュータ読み取り可能媒体は、コンピュータに、デジタルコンテンツに関連するメタデータのリストを受信させる少なくとも１つの命令と、コンピュータに、前記メタデータを使用して、前記コンテンツ権利データベースを探索させる少なくとも１つの命令と、をさらに備える（５３）のコンピュータプログラムプロダクト。
（６０）前記コンピュータ読み取り可能媒体は、コンピュータに、権利者からデジタルコンテンツを受信させる少なくとも１つの命令と、コンピュータに、前記権利者から前記デジタルコンテンツに関連する権利を受信させる少なくとも１つの命令と、コンピュータに、前記デジタル権利データベースに、前記デジタルコンテンツ及び関連する権利を格納させる少なくとも１つの命令と、をさらに備える（５３）のコンピュータプログラムプロダクト。
（６１）コンテンツにアクセスするように動作可能な第１装置と、前記第１装置と通信しているライセンス供与サーバであって、前記第１装置によってアクセス可能な前記コンテンツを使用するためのライセンスを生成するように動作可能なライセンス供与サーバと、を具備するコンテンツライセンス供与システム。
（６２）前記ライセンス供与サーバと通信している第２装置であって、前記第１装置によってアクセス可能な前記コンテンツにアクセスするように動作可能な第２装置をさらに具備する（６１）のコンテンツライセンス供与システム。
（６３）コンテンツにアクセスするように動作可能な第１装置と、前記第１装置と通信しているライセンス供与サーバであって、前記第１装置によってアクセス可能な前記コンテンツに対する権利を所有するためのライセンスを生成するように動作可能なライセンス供与サーバと、を具備するコンテンツライセンス供与システム。
（６４）前記ライセンス供与サーバと通信する第２装置であって、前記ライセンスのもとに前記第１装置によってアクセス可能な前記コンテンツにアクセスするように動作可能な第２装置をさらに具備する（６３）のコンテンツライセンス供与システム。
（６５）コンテンツにアクセスするように動作可能な第１装置と、第２装置と、前記第１及び第２装置と通信しているライセンス供与サーバであって、前記第１装置によってアクセス可能な前記コンテンツを前記第２装置上で使用するためのライセンスを生成するように動作可能なライセンス供与サーバと、を具備するコンテンツライセンス供与システム。
（６６）コンテンツにアクセスするように動作可能な第１装置と、第２装置と、前記第１及び第２装置と通信するライセンス供与サーバであって、前記第２装置上で、前記第１装置によってアクセス可能な前記コンテンツに対する権利を所有するためのライセンスを生成するように動作可能なライセンス供与サーバと、を具備し、前記第２装置が、前記生成されたライセンスのもとに、前記コンテンツにアクセスするように動作可能であるコンテンツライセンス供与システム。
【図１】
0005571124.tif 000002
【図２】
0005571124.tif 000003
【図３】
0005571124.tif 000004
【図４】
0005571124.tif 000005
【図５】
0005571124.tif 000006
【図６】
0005571124.tif 000007
【図７】
0005571124.tif 000008
【図８】
0005571124.tif 000009
【図９】
0005571124.tif 000010
【図１０】
0005571124.tif 000011